(57)【要約】  明細書中の一般式（Ｄ）で表される化合物、上記化合物を含む着色組成物及びインクジェット記録用インク、並びに上記インクジェット記録用インクを用いたインクジェット記録方法、インクジェットプリンタカートリッジ、及びインクジェット記録物、上記化合物を含有するカラーフィルタ、カラートナー、転写用インク、上記着色組成物又はインクジェット記録用インクを用いた捺染方法、及び捺染方法により捺染された布帛。【特許請求の範囲】
【請求項１】
下記一般式（Ｄ）で表される化合物。
【化１】
2016052686.tif 000051
【化２】
2016052686.tif 000052
一般式（Ｄ）中、Ｄは上記一般式（１）又は一般式（２）で表される化合物からｎ個の水素原子を取り除いた残基を表し、Ｌは単結合又は２価若しくは３価の連結基を表し、Ｔは各々独立に下記一般式（Ｔ−１）、（Ｔ−４）、（Ｔ−６）、（Ｔ−８）、（Ｔ−９）、（Ｔ−１０）、（Ｔ−１１）、及び（Ｔ−１２）のいずれかで表される基を表す。ｎは１〜４を表す。ｎが２以上の整数を表す場合は、複数のＬ、Ｔは同じであっても異なっていてもよい。Ｒａ、Ｒｂ及びＲｃは各々独立に置換基を表し、ｎａは０〜４を表し、ｎｂ及びｎｃは各々独立に０〜３を表す。
一般式（１）又は一般式（２）中、Ｒ１、Ｒ３、Ｒ４、Ｒ５、Ｒ６、Ｒ７、Ｒ８、Ｒ９、Ｒ１０、Ｒ１１、Ｒ１２、Ｒ１４、Ｒ１５、Ｒ１６、Ｒ１７、Ｒ１８、Ｒ１９、及びＲ２０は各々独立に水素原子又は置換基を表し、Ｘ１及びＸ３は各々独立に、置換若しくは無置換のアミノ基、置換若しくは無置換のアルコキシ基、置換若しくは無置換のアリールオキシ基、置換若しくは無置換のヘテロ環オキシ基、置換若しくは無置換のアシルオキシ基、置換若しくは無置換のアルキルスルホニル基、置換若しくは無置換のアリールスルホニル基、置換若しくは無置換のアミノカルボニルオキシ基、置換若しくは無置換のウレイド基、置換若しくは無置換のアシル基、カルボキシル基、置換若しくは無置換のカルバモイル基、置換若しくは無置換のアルコキシカルボニル基、置換若しくは無置換のアリールオキシカルボニル基、置換若しくは無置換のスルファモイル基、メルカプト基、置換若しくは無置換のアルキルチオ基、置換若しくは無置換のアリールチオ基、又はスルホ基を表す。ただし、Ｘ１及びＸ３がスルホ基のとき、ＳＯ３Ｈの水素原子が外れてＬと連結することはない。
【化３】
2016052686.tif 000053
Ｒ２０１及びＲ２０２は各々独立にアルキル基を表す。Ｒ２０３、Ｒ２１３、Ｒ２１７、Ｒ２２２、Ｒ２２３及びＲ２２６は各々独立に置換基を表す。Ｒ２１４は水素原子、酸素ラジカル（−Ｏ・）、ヒドロキシ基、置換若しくは無置換のアルキル基又は置換若しくは無置換のアルコキシ基を表す。Ｒ２１５及びＲ２１６は各々独立に置換若しくは無置換の２級又は３級アルキル基を表す。Ｒ２１５及びＲ２１６は互いに結合して環を形成してもよい。Ｒ２１８及びＲ２１９は各々独立に水素原子、置換若しくは無置換のアルキル基、置換若しくは無置換のアリール基又は置換若しくは無置換のヘテロ環基を表す。Ｒ２１８及びＲ２１９は互いに結合して環を形成してもよい。Ｘ２０２は酸素原子又は窒素原子を表す。Ｘ２０３は炭素原子又は窒素原子を表す。Ｒ２１２は置換若しくは無置換のアリール基、置換若しくは無置換のヘテロ環基、又はＸ２０２と連結してアリール基若しくはヘテロ環基を形成する基を表す。Ｒ２２０及びＲ２２１は各々独立に水素原子、ハロゲン原子又は置換若しくは無置換のアルキル基を表す。Ｒ２２４、Ｒ２２５、Ｒ２２８及びＲ２２９は各々独立に水素原子又は置換若しくは無置換のアルキル基を表す。Ｒ２２４及びＲ２２５は互いに結合して環を形成してもよい。Ｒ２２７は置換若しくは無置換のアルキル基を表す。ｐ１０１は０〜３を表す。ｐ１０５、ｐ１０７、ｐ１０９、ｐ１１０及びｐ１１１は各々独立に０〜４を表す。ｐ１０１、ｐ１０５、ｐ１０７、ｐ１０９、ｐ１１０及びｐ１１１がそれぞれ２以上の数を表す場合は、複数のＲ２０３、Ｒ２１３、Ｒ２１７、Ｒ２２２、Ｒ２２３及びＲ２２６は同じであっても異なっていてもよい。ｍは１〜２を表す。
なお、一般式（Ｔ−１）、（Ｔ−４）、（Ｔ−６）、（Ｔ−８）、（Ｔ−９）、（Ｔ−１０）、（Ｔ−１１）及び（Ｔ−１２）のいずれかで表される基は、各々、式中のいずれか１つの水素原子が外れてＬと結合している。ただし、＊１を示してある水素原子が外れて連結することはない。一般式（Ｔ−６）におけるＲ２１４、及び一般式（Ｔ−１０）におけるＲ２２４及びＲ２２５、一般式（Ｔ−１２）におけるＲ２２８及びＲ２２９が水素原子のとき、外れて結合することはない。
【請求項２】
前記一般式（１）又は一般式（２）が下記一般式（１−１）又は一般式（２−１）で表される、請求項１に記載の化合物。
【化４】
2016052686.tif 000054
一般式（１−１）及び（２−１）中、Ｒ１、Ｒ３、Ｒ４、Ｒ５、Ｒ６、Ｒ７、Ｒ８、Ｒ９、Ｒ１０、Ｒ１１、Ｒ１２、Ｒ１４、Ｒ１５、Ｒ１６、Ｒ１７、Ｒ１８、Ｒ１９、及びＲ２０は各々独立に水素原子又は置換基を表し、Ｒ１０１及びＲ１０３は各々独立に水素原子、置換若しくは無置換のアルキル基、置換若しくは無置換のアリール基、置換若しくは無置換のヘテロ環基、置換若しくは無置換のアルキルカルボニル基、置換若しくは無置換のアリールカルボニル基、置換若しくは無置換のアルキルスルホニル基、置換若しくは無置換のアリールスルホニル基、置換若しくは無置換のアルコキシカルボニル基、置換若しくは無置換のアリールオキシカルボニル基、カルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換ジアリールアミノカルボニル基、又は置換若しくは無置換のアルキルアリールアミノカルボニル基を表し、Ｍは各々独立に水素原子又はアルカリ金属を表し、ａ１、ａ２、ａ３及びａ４は各々独立に０又は１を表す。
【請求項３】
前記Ｒ１０１及びＲ１０３が各々独立に水素原子、置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、カルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換ジアリールアミノカルボニル基、又は置換若しくは無置換のアルキルアリールアミノカルボニル基を表す、請求項２に記載の化合物。
【請求項４】
前記Ｒ１、Ｒ５、Ｒ６、Ｒ１０、Ｒ１１、Ｒ１５、Ｒ１６及びＲ２０が各々独立に炭素数１〜６のアルキル基を表す請求項１〜３のいずれか１項に記載の化合物。
【請求項５】
分子内中に少なくとも２つのスルホ基を有する請求項１〜４のいずれか１項に記載の化合物。
【請求項６】
請求項１〜５のいずれか１項に記載の化合物を含有する着色組成物。
【請求項７】
請求項１〜５のいずれか１項に記載の化合物を含むインクジェット記録用インク。
【請求項８】
請求項７に記載のインクジェット記録用インクを用いるインクジェット記録方法。
【請求項９】
請求項７に記載のインクジェット記録用インクを充填したインクジェットプリンタカートリッジ。
【請求項１０】
請求項７に記載のインクジェット記録用インクを用いて、被記録材に着色画像を形成したインクジェット記録物。
【請求項１１】
請求項１〜５のいずれか１項に記載の化合物を含有するカラーフィルタ。
【請求項１２】
請求項１〜５のいずれか１項に記載の化合物を含有するカラートナー。
【請求項１３】
請求項１〜５のいずれか１項に記載の化合物を含有する転写用インク。
【請求項１４】
下記（１）〜（４）の工程を含む捺染方法。
（１）少なくとも高分子化合物及び水を含む液に対し、請求項６に記載の着色組成物を添加し、色糊を調整する工程
（２）前記（１）の色糊を布帛に印捺する工程
（３）印捺した布帛に蒸気をあてる工程
（４）印捺した布帛を水洗、乾燥する工程
【請求項１５】
下記（１１）〜（１４）の工程を含む捺染方法。
（１１）少なくとも高分子化合物及び水を含む糊を布帛に付与する工程
（１２）請求項７に記載のインクジェット記録用インクをインクジェット法により布帛に印捺する工程
（１３）印捺した布帛に蒸気をあてる工程
（１４）印捺した布帛を水洗、乾燥する工程
【請求項１６】
前記布帛がポリアミドを含む請求項１４又は１５に記載の捺染方法。
【請求項１７】
請求項１４〜１６のいずれか１項に記載の方法によって捺染された布帛。
【発明の詳細な説明】
【技術分野】
【０００１】
本発明は、化合物、着色組成物、インクジェット記録用インク、インクジェット記録方法、インクジェットプリンタカートリッジ、インクジェット記録物、カラーフィルタ、カラートナー、転写用インク、捺染方法、及び布帛に関する。
【背景技術】
【０００２】
インクジェット記録方法は、周知のごとくインクの小滴を飛翔させ、紙等の記録媒体に付着させて印刷を行う方法である。この印刷方法は、安価な装置で高解像度、高品位な画像を高速かつ簡便に印刷をする事ができ、特にカラー印刷においては、近年写真に代わりうる画像形成方法として技術開発が行われている。
インクジェット記録方法を用いてカラー画像を形成する場合、少なくともイエローインク、マゼンタインク、シアンインク、及びブラックインクを用いるのが一般的である。これらのインクには粘度、表面張力等の物性値が適正範囲内にあること、ノズルの目詰まり、保存安定性に優れ、かつ高い濃度の記録画像を与えること、また耐光性、耐オゾン性、耐水性、耐湿性に優れていること等の性質が要求される。【０００３】
これらの性能は、水又は水と水溶性有機溶剤との混合液を主溶媒とする水性インクを用いることにより、要求される水準を満たすことが多いが、特に色調、鮮やかさ、耐光性、耐オゾン性、耐水性、耐湿性等は着色剤に左右されるところが大きく、従来さまざまな染料の研究がされてきている。【０００４】
たとえば、特許文献１には、トリフェニルメタン骨格を有する発色部位と退色防止能を有する安定化部位を有する色素化合物が記載されている。
特許文献２には、ベンゾフェノン系化合物とキサンテン系化合物とをカップリングさせた化合物が記載されている。
また、特許文献３には、アニリノ基が置換したキサンテン誘導体であって、このアニリノ基にアシルアミノ基が置換した化合物が記載されており、この化合物を含む着色組成物を用いて形成したインクジェット記録物の彩度、耐光性及び耐オゾン性などについて検討されている。
【先行技術文献】
【特許文献】
【０００５】
【特許文献１】日本国特開２００５−２３２８号公報
【特許文献２】日本国特開２００６−１９９８５９号公報
【特許文献３】日本国特開２０１１−１４８９７３号公報
【発明の概要】
【発明が解決しようとする課題】
【０００６】
しかしながら、染料の分野については更なる性能の向上が求められており、色相に優れ、高い印画濃度を有し、耐光性、耐オゾン性、及び耐湿性をより向上させることができる化合物が要求されている。【０００７】
本発明は色相に優れ、高い印画濃度を有し、耐光性、耐オゾン性、及び耐湿性をより向上させることができる化合物を提供することを目的とする。また、上記化合物を含む着色組成物及びインクジェット記録用インク、並びに上記インクジェット記録用インクを用いたインクジェット記録方法、インクジェットプリンタカートリッジ、及びインクジェット記録物を提供することを目的とする。更に、上記化合物を含有するカラーフィルタ、カラートナー、転写用インクを提供することを目的とする。また、上記着色組成物又はインクジェット記録用インクを用いた捺染方法、及び捺染方法により捺染された布帛を提供することを目的とする。
【課題を解決するための手段】
【０００８】
本発明者らは鋭意検討の結果、下記一般式（Ｄ）で表される化合物により上記課題を解決できることを見出した。
一般式（Ｄ）で表される化合物は、アニリノ基が置換したキサンテン誘導体に、連結基を介して特定構造の置換基を有する化合物である。作用機構は不明であるが、連結基を介して特定構造の置換基を有することで、その特定構造の置換基が褪色防止基として働き、優れた耐光性を示すものと考えられる。また、特定構造の置換基が連結基を介してキサンテン誘導体に結合することで、疎水的な構造となり耐湿性も向上したものと考えられる。
即ち、本発明は以下に記載した事項に関するものである。【０００９】
［１］
下記一般式（Ｄ）で表される化合物。【００１０】
【化１】
2016052686.tif 000002
【００１１】
【化２】
2016052686.tif 000003
【００１２】
一般式（Ｄ）中、Ｄは上記一般式（１）又は一般式（２）で表される化合物からｎ個の水素原子を取り除いた残基を表し、Ｌは単結合又は２価若しくは３価の連結基を表し、Ｔは各々独立に下記一般式（Ｔ−１）、（Ｔ−４）、（Ｔ−６）、（Ｔ−８）、（Ｔ−９）、（Ｔ−１０）、（Ｔ−１１）、及び（Ｔ−１２）のいずれかで表される基を表す。ｎは１〜４を表す。ｎが２以上の整数を表す場合は、複数のＬ、Ｔは同じであっても異なっていてもよい。Ｒａ、Ｒｂ及びＲｃは各々独立に置換基を表し、ｎａは０〜４を表し、ｎｂ及びｎｃは各々独立に０〜３を表す。
一般式（１）又は一般式（２）中、Ｒ１、Ｒ３、Ｒ４、Ｒ５、Ｒ６、Ｒ７、Ｒ８、Ｒ９、Ｒ１０、Ｒ１１、Ｒ１２、Ｒ１４、Ｒ１５、Ｒ１６、Ｒ１７、Ｒ１８、Ｒ１９、及びＲ２０は各々独立に水素原子又は置換基を表し、Ｘ１及びＸ３は各々独立に、置換若しくは無置換のアミノ基、置換若しくは無置換のアルコキシ基、置換若しくは無置換のアリールオキシ基、置換若しくは無置換のヘテロ環オキシ基、置換若しくは無置換のアシルオキシ基、置換若しくは無置換のアルキルスルホニル基、置換若しくは無置換のアリールスルホニル基、置換若しくは無置換のアミノカルボニルオキシ基、置換若しくは無置換のウレイド基、置換若しくは無置換のアシル基、カルボキシル基、置換若しくは無置換のカルバモイル基、置換若しくは無置換のアルコキシカルボニル基、置換若しくは無置換のアリールオキシカルボニル基、置換若しくは無置換のスルファモイル基、メルカプト基、置換若しくは無置換のアルキルチオ基、置換若しくは無置換のアリールチオ基、又はスルホ基を表す。ただし、Ｘ１及びＸ３がスルホ基のとき、ＳＯ３Ｈの水素原子が外れてＬと連結することはない。【００１３】
【化３】
2016052686.tif 000004
【００１４】
Ｒ２０１及びＲ２０２は各々独立にアルキル基を表す。Ｒ２０３、Ｒ２１３、Ｒ２１７、Ｒ２２２、Ｒ２２３及びＲ２２６は各々独立に置換基を表す。Ｒ２１４は水素原子、酸素ラジカル（−Ｏ・）、ヒドロキシ基、置換若しくは無置換のアルキル基又は置換若しくは無置換のアルコキシ基を表す。Ｒ２１５及びＲ２１６は各々独立に置換若しくは無置換の２級又は３級アルキル基を表す。Ｒ２１５及びＲ２１６は互いに結合して環を形成してもよい。Ｒ２１８及びＲ２１９は各々独立に水素原子、置換若しくは無置換のアルキル基、置換若しくは無置換のアリール基又は置換若しくは無置換のヘテロ環基を表す。Ｒ２１８及びＲ２１９は互いに結合して環を形成してもよい。Ｘ２０２は酸素原子又は窒素原子を表す。Ｘ２０３は炭素原子又は窒素原子を表す。Ｒ２１２は置換若しくは無置換のアリール基、置換若しくは無置換のヘテロ環基、又はＸ２０２と連結してアリール基若しくはヘテロ環基を形成する基を表す。Ｒ２２０及びＲ２２１は各々独立に水素原子、ハロゲン原子又は置換若しくは無置換のアルキル基を表す。Ｒ２２４、Ｒ２２５、Ｒ２２８及びＲ２２９は各々独立に水素原子又は置換若しくは無置換のアルキル基を表す。Ｒ２２４及びＲ２２５は互いに結合して環を形成してもよい。Ｒ２２７は置換若しくは無置換のアルキル基を表す。ｐ１０１は０〜３を表す。ｐ１０５、ｐ１０７、ｐ１０９、ｐ１１０及びｐ１１１は各々独立に０〜４を表す。ｐ１０１、ｐ１０５、ｐ１０７、ｐ１０９、ｐ１１０及びｐ１１１がそれぞれ２以上の数を表す場合は、複数のＲ２０３、Ｒ２１３、Ｒ２１７、Ｒ２２２、Ｒ２２３及びＲ２２６は同じであっても異なっていてもよい。ｍは１〜２を表す。
なお、一般式（Ｔ−１）、（Ｔ−４）、（Ｔ−６）、（Ｔ−８）、（Ｔ−９）、（Ｔ−１０）、（Ｔ−１１）及び（Ｔ−１２）のいずれかで表される基は、各々、式中のいずれか１つの水素原子が外れてＬと結合している。ただし、＊１を示してある水素原子が外れて連結することはない。一般式（Ｔ−６）におけるＲ２１４、及び一般式（Ｔ−１０）におけるＲ２２４及びＲ２２５、一般式（Ｔ−１２）におけるＲ２２８及びＲ２２９が水素原子のとき、外れて結合することはない。
［２］
上記一般式（１）又は一般式（２）が下記一般式（１−１）又は一般式（２−１）で表される、［１］に記載の化合物。【００１５】
【化４】
2016052686.tif 000005
【００１６】
一般式（１−１）及び（２−１）中、Ｒ１、Ｒ３、Ｒ４、Ｒ５、Ｒ６、Ｒ７、Ｒ８、Ｒ９、Ｒ１０、Ｒ１１、Ｒ１２、Ｒ１４、Ｒ１５、Ｒ１６、Ｒ１７、Ｒ１８、Ｒ１９、及びＲ２０は各々独立に水素原子又は置換基を表し、Ｒ１０１及びＲ１０３は各々独立に水素原子、置換若しくは無置換のアルキル基、置換若しくは無置換のアリール基、置換若しくは無置換のヘテロ環基、置換若しくは無置換のアルキルカルボニル基、置換若しくは無置換のアリールカルボニル基、置換若しくは無置換のアルキルスルホニル基、置換若しくは無置換のアリールスルホニル基、置換若しくは無置換のアルコキシカルボニル基、置換若しくは無置換のアリールオキシカルボニル基、カルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換ジアリールアミノカルボニル基、又は置換若しくは無置換のアルキルアリールアミノカルボニル基を表し、Ｍは各々独立に水素原子又はアルカリ金属を表し、ａ１、ａ２、ａ３及びａ４は各々独立に０又は１を表す。
［３］
上記Ｒ１０１及びＲ１０３が各々独立に水素原子、置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、カルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換ジアリールアミノカルボニル基、又は置換若しくは無置換のアルキルアリールアミノカルボニル基を表す、［２］に記載の化合物。
［４］
上記Ｒ１、Ｒ５、Ｒ６、Ｒ１０、Ｒ１１、Ｒ１５、Ｒ１６及びＲ２０が各々独立に炭素数１〜６のアルキル基を表す［１］〜［３］のいずれか１項に記載の化合物。
［５］
分子内中に少なくとも２つのスルホ基を有する［１］〜［４］のいずれか１項に記載の化合物。
［６］
［１］〜［５］のいずれか１項に記載の化合物を含有する着色組成物。
［７］
［１］〜［５］のいずれか１項に記載の化合物を含むインクジェット記録用インク。
［８］
［７］に記載のインクジェット記録用インクを用いるインクジェット記録方法。
［９］
［７］に記載のインクジェット記録用インクを充填したインクジェットプリンタカートリッジ。
［１０］
［７］に記載のインクジェット記録用インクを用いて、被記録材に着色画像を形成したインクジェット記録物。
［１１］
［１］〜［５］のいずれか１項に記載の化合物を含有するカラーフィルタ。
［１２］
［１］〜［５］のいずれか１項に記載の化合物を含有するカラートナー。
［１３］
［１］〜［５］のいずれか１項に記載の化合物を含有する転写用インク。
［１４］
下記（１）〜（４）の工程を含む捺染方法。
（１）少なくとも高分子化合物及び水を含む液に対し、［６］に記載の着色組成物を添加し、色糊を調整する工程
（２）上記（１）の色糊を布帛に印捺する工程
（３）印捺した布帛に蒸気をあてる工程
（４）印捺した布帛を水洗、乾燥する工程
［１５］
下記（１１）〜（１４）の工程を含む捺染方法。
（１１）少なくとも高分子化合物及び水を含む糊を布帛に付与する工程
（１２）［７］に記載のインクジェット記録用インクをインクジェット法により布帛に印捺する工程
（１３）印捺した布帛に蒸気をあてる工程
（１４）印捺した布帛を水洗、乾燥する工程
［１６］
上記布帛がポリアミドを含む［１４］又は［１５］に記載の捺染方法。
［１７］
［１４］〜［１６］のいずれか１項に記載の方法によって捺染された布帛。
【発明の効果】
【００１７】
本発明の化合物は着色組成物及びインクジェット記録用インクに好適に用いることができ、色相に優れ、高い印画濃度を有し、耐光性、耐オゾン性、及び耐湿性をより向上させることができる。また、上記化合物を含む着色組成物及びインクジェット記録用インク、並びに上記インクジェット記録用インクを用いたインクジェット記録方法、インクジェットプリンタカートリッジ、及びインクジェット記録物を提供することができる。更に、上記化合物を含有するカラーフィルタ、カラートナー、転写用インクを提供することができる。また、上記着色組成物又はインクジェット記録用インクを用いた捺染方法、及び捺染方法により捺染された布帛を提供することができる。
【発明を実施するための形態】
【００１８】
以下、本発明を詳細に説明する。
まず、本発明における置換基の具体例を、置換基群Ａとして定義する。
【００１９】
（置換基群Ａ）
ハロゲン原子、アルキル基、アラルキル基、アルケニル基、アルキニル基、アリール基、ヘテロ環基、シアノ基、ヒドロキシル基、ニトロ基、アルコキシ基、アリールオキシ基、シリルオキシ基、ヘテロ環オキシ基、アシルオキシ基、カルバモイルオキシ基、アルコキシカルボニルオキシ基、アリールオキシカルボニルオキシ基、アミノ基、アシルアミノ基、アミノカルボニルアミノ基、アルコキシカルボニルアミノ基、アリールオキシカルボニルアミノ基、スルファモイルアミノ基、アルキル又はアリールスルホニルアミノ基、メルカプト基、アルキルチオ基、アリールチオ基、ヘテロ環チオ基、スルファモイル基、アルキル又はアリールスルフィニル基、アルキル又はアリールスルホニル基、アシル基、アリールオキシカルボニル基、アルコキシカルボニル基、カルバモイル基、アリール又はヘテロ環アゾ基、イミド基、ホスフィノ基、ホスフィニル基、ホスフィニルオキシ基、ホスフィニルアミノ基、シリル基、イオン性親水性基が例として挙げられる。これらの置換基は更に置換されてもよく、更なる置換基としては、以上に説明した置換基群Ａから選択される基を挙げることができる。
【００２０】
ハロゲン原子としては、例えば、フッ素原子、塩素原子、臭素原子、又はヨウ素原子が挙げられる。
【００２１】
アルキル基としては、直鎖、分岐、環状の置換若しくは無置換のアルキル基が挙げられ、シクロアルキル基、ビシクロアルキル基、更に環構造が多いトリシクロ構造なども包含するものである。以下に説明する置換基の中のアルキル基（例えば、アルコキシ基、アルキルチオ基のアルキル基）もこのような概念のアルキル基を表す。
アルキル基としては、好ましくは、炭素数１から３０のアルキル基、例えば、メチル基、エチル基、ｎ−プロピル基、ｉ−プロピル基、ｔ−ブチル基、ｎ−オクチル基、エイコシル基、２−クロロエチル基、２−シアノエチル基、２―エチルヘキシル基等が挙げられ、シクロアルキル基としては、好ましくは、炭素数３から３０の置換又は無置換のシクロアルキル基、例えば、シクロヘキシル基、シクロペンチル基、４−ｎ−ドデシルシクロヘキシル基等が挙げられ、ビシクロアルキル基としては、好ましくは、炭素数５から３０の置換若しくは無置換のビシクロアルキル基、つまり、炭素数５から３０のビシクロアルカンから水素原子を一個取り去った一価の基、例えば、ビシクロ［１，２，２］ヘプタン−２−イル基、ビシクロ［２，２，２］オクタン−３−イル基等が挙げられる。
【００２２】
アラルキル基としては、置換若しくは無置換のアラルキル基が挙げられ、置換若しくは無置換のアラルキル基としては、炭素原子数が７〜３０のアラルキル基が好ましい。例えばベンジル基及び２−フェネチル基を挙げられる。
【００２３】
アルケニル基としては、直鎖、分岐、環状の置換若しくは無置換のアルケニル基が挙げられ、シクロアルケニル基、ビシクロアルケニル基を包含する。
アルケニル基としては、好ましくは、炭素数２から３０の置換又は無置換のアルケニル基、例えば、ビニル基、アリル基、プレニル基、ゲラニル基、オレイル基等が挙げられ、シクロアルケニル基としては、好ましくは、炭素数３から３０の置換若しくは無置換のシクロアルケニル基、つまり、炭素数３から３０のシクロアルケンの水素原子を一個取り去った一価の基、例えば、２−シクロペンテン−１−イル基、２−シクロヘキセン−１−イル基等が挙げられ、ビシクロアルケニル基としては、置換若しくは無置換のビシクロアルケニル基、好ましくは、炭素数５から３０の置換若しくは無置換のビシクロアルケニル基、つまり二重結合を一個持つビシクロアルケンの水素原子を一個取り去った一価の基、例えば、ビシクロ［２，２，１］ヘプト−２−エン−１−イル基、ビシクロ［２，２，２］オクト−２−エン−４−イル基等が挙げられる。
【００２４】
アルキニル基としては、好ましくは、炭素数２から３０の置換又は無置換のアルキニル基、例えば、エチニル基、プロパルギル基、トリメチルシリルエチニル基等が挙げられる。
【００２５】
アリール基としては、好ましくは、炭素数６から３０の置換若しくは無置換のアリール基、例えば、フェニル基、ｐ−トリル基、ナフチル基、ｍ−クロロフェニル基、ｏ−ヘキサデカノイルアミノフェニル基等が挙げられる。
【００２６】
ヘテロ環基としては、好ましくは、５又は６員の置換若しくは無置換の芳香族若しくは非芳香族のヘテロ環化合物から一個の水素原子を取り除いた一価の基であり、更に好ましくは、炭素数３から３０の５又は６員の芳香族のヘテロ環基、例えば、２−フリル基、２−チエニル基、２−ピリミジニル基、２−ベンゾチアゾリル基等が挙げられる。非芳香族のヘテロ環基の例としては、モルホリニル基等が挙げられる。
【００２７】
アルコキシ基としては、好ましくは、炭素数１から３０の置換若しくは無置換のアルコキシ基、例えば、メトキシ基、エトキシ基、イソプロポキシ基、ｔ−ブトキシ基、ｎ−オクチルオキシ基、２−メトキシエトキシ基等が挙げられる。
【００２８】
アリールオキシ基としては、好ましくは、炭素数６から３０の置換若しくは無置換のアリールオキシ基、例えば、フェノキシ基、２−メチルフェノキシ基、４−ｔ−ブチルフェノキシ基、３−ニトロフェノキシ基、２−テトラデカノイルアミノフェノキシ基等が挙げられる。
【００２９】
シリルオキシ基としては、好ましくは、炭素数０から２０の置換若しくは無置換のシリルオキシ基、例えば、トリメチルシリルオキシ基、ジフェニルメチルシリルオキシ基等が挙げられる。
【００３０】
ヘテロ環オキシ基としては、好ましくは、炭素数２から３０の置換若しくは無置換のヘテロ環オキシ基、例えば、１−フェニルテトラゾール−５−オキシ基、２−テトラヒドロピラニルオキシ基等が挙げられる。
【００３１】
アシルオキシ基としては、好ましくは、ホルミルオキシ基、炭素数２から３０の置換若しくは無置換のアルキルカルボニルオキシ基、炭素数６から３０の置換若しくは無置換のアリールカルボニルオキシ基、例えば、アセチルオキシ基、ピバロイルオキシ基、ステアロイルオキシ基、ベンゾイルオキシ基、ｐ−メトキシフェニルカルボニルオキシ基等が挙げられる。
【００３２】
カルバモイルオキシ基としては、好ましくは、炭素数１から３０の置換若しくは無置換のカルバモイルオキシ基、例えば、Ｎ，Ｎ−ジメチルカルバモイルオキシ基、Ｎ，Ｎ−ジエチルカルバモイルオキシ基、モルホリノカルボニルオキシ基、Ｎ，Ｎ−ジ−ｎ−オクチルアミノカルボニルオキシ基、Ｎ−ｎ−オクチルカルバモイルオキシ基等が挙げられる。
【００３３】
アルコキシカルボニルオキシ基としては、好ましくは、炭素数２から３０の置換若しくは無置換アルコキシカルボニルオキシ基、例えば、メトキシカルボニルオキシ基、エトキシカルボニルオキシ基、ｔ−ブトキシカルボニルオキシ基、ｎ−オクチルカルボニルオキシ基等が挙げられる。
【００３４】
アリールオキシカルボニルオキシ基としては、好ましくは、炭素数７から３０の置換若しくは無置換のアリールオキシカルボニルオキシ基、例えば、フェノキシカルボニルオキシ基、ｐ−メトキシフェノキシカルボニルオキシ基、ｐ−ｎ−ヘキサデシルオキシフェノキシカルボニルオキシ基等が挙げられる。
【００３５】
アミノ基としては、アルキルアミノ基、アリールアミノ基、ヘテロ環アミノ基を含み、好ましくは、アミノ基、炭素数１から３０の置換若しくは無置換のアルキルアミノ基、炭素数６から３０の置換若しくは無置換のアニリノ基、例えば、メチルアミノ基、ジメチルアミノ基、アニリノ基、Ｎ−メチル−アニリノ基、ジフェニルアミノ基、トリアジニルアミノ基等が挙げられる。
【００３６】
アシルアミノ基としては、好ましくは、ホルミルアミノ基、炭素数１から３０の置換若しくは無置換のアルキルカルボニルアミノ基、炭素数６から３０の置換若しくは無置換のアリールカルボニルアミノ基、例えば、アセチルアミノ基、ピバロイルアミノ基、ラウロイルアミノ基、ベンゾイルアミノ基、３，４，５−トリ−ｎ−オクチルオキシフェニルカルボニルアミノ基等が挙げられる。
【００３７】
アミノカルボニルアミノ基としては、好ましくは、炭素数１から３０の置換若しくは無置換のアミノカルボニルアミノ基、例えば、カルバモイルアミノ基、Ｎ，Ｎ−ジメチルアミノカルボニルアミノ基、Ｎ，Ｎ−ジエチルアミノカルボニルアミノ基、モルホリノカルボニルアミノ基等が挙げられる。
【００３８】
アルコキシカルボニルアミノ基としては、好ましくは、炭素数２から３０の置換若しくは無置換アルコキシカルボニルアミノ基、例えば、メトキシカルボニルアミノ基、エトキシカルボニルアミノ基、ｔ−ブトキシカルボニルアミノ基、ｎ−オクタデシルオキシカルボニルアミノ基、Ｎ−メチルーメトキシカルボニルアミノ基等が挙げられる。
【００３９】
アリールオキシカルボニルアミノ基としては、好ましくは、炭素数７から３０の置換若しくは無置換のアリールオキシカルボニルアミノ基、例えば、フェノキシカルボニルアミノ基、ｐ−クロロフェノキシカルボニルアミノ基、ｍ−ｎ−オクチルオキシフェノキシカルボニルアミノ基等が挙げられる。
【００４０】
スルファモイルアミノ基としては、好ましくは、炭素数０から３０の置換若しくは無置換のスルファモイルアミノ基、例えば、スルファモイルアミノ基、Ｎ，Ｎ−ジメチルアミノスルホニルアミノ基、Ｎ−ｎ−オクチルアミノスルホニルアミノ基等が挙げられる。
【００４１】
アルキル又はアリールスルホニルアミノ基としては、好ましくは、炭素数１から３０の置換若しくは無置換のアルキルスルホニルアミノ基、炭素数６から３０の置換若しくは無置換のアリールスルホニルアミノ基、例えば、メチルスルホニルアミノ基、ブチルスルホニルアミノ基、フェニルスルホニルアミノ基、２，３，５−トリクロロフェニルスルホニルアミノ基、ｐ−メチルフェニルスルホニルアミノ基等が挙げられる。
アルキルチオ基としては、好ましくは、炭素数１から３０の置換若しくは無置換のアルキルチオ基、例えば、メチルチオ基、エチルチオ基、ｎ−ヘキサデシルチオ基等が挙げられる。
【００４２】
アリールチオ基としては、好ましくは、炭素数６から３０の置換若しくは無置換のアリールチオ基、例えば、フェニルチオ基、ｐ−クロロフェニルチオ基、ｍ−メトキシフェニルチオ基等が挙げられる。
【００４３】
ヘテロ環チオ基としては、好ましくは、炭素数２から３０の置換又は無置換のヘテロ環チオ基、例えば、２−ベンゾチアゾリルチオ基、１−フェニルテトラゾール−５−イルチオ基等が挙げられる。
【００４４】
スルファモイル基としては、好ましくは、炭素数０から３０の置換若しくは無置換のスルファモイル基、例えば、Ｎ−エチルスルファモイル基、Ｎ−（３−ドデシルオキシプロピル）スルファモイル基、Ｎ，Ｎ−ジメチルスルファモイル基、Ｎ−アセチルスルファモイル基、Ｎ−ベンゾイルスルファモイル基、Ｎ−（Ｎ’−フェニルカルバモイル）スルファモイル基等が挙げられる。
【００４５】
アルキル又はアリールスルフィニル基としては、好ましくは、炭素数１から３０の置換又は無置換のアルキルスルフィニル基、炭素数６から３０の置換又は無置換のアリールスルフィニル基、例えば、メチルスルフィニル基、エチルスルフィニル基、フェニルスルフィニル基、ｐ−メチルフェニルスルフィニル基等が挙げられる。
【００４６】
アルキル又はアリールスルホニル基としては、好ましくは、炭素数１から３０の置換又は無置換のアルキルスルホニル基、炭素数６から３０の置換又は無置換のアリールスルホニル基、例えば、メチルスルホニル基、エチルスルホニル基、フェニルスルホニル基、ｐ−メチルフェニルスルホニル基等が挙げられる。
【００４７】
アシル基としては、好ましくは、ホルミル基、炭素数２から３０の置換又は無置換のアルキルカルボニル基、炭素数７から３０の置換若しくは無置換のアリールカルボニル基、炭素数２から３０の置換若しくは無置換の炭素原子でカルボニル基と結合しているヘテロ環カルボニル基、例えば、アセチル基、ピバロイル基、２−クロロアセチル基、ステアロイル基、ベンゾイル基、ｐ−ｎ−オクチルオキシフェニルカルボニル基、２−ピリジルカルボニル基、２−フリルカルボニル基等が挙げられる。
【００４８】
アリールオキシカルボニル基としては、好ましくは、炭素数７から３０の置換若しくは無置換のアリールオキシカルボニル基、例えば、フェノキシカルボニル基、ｏ−クロロフェノキシカルボニル基、ｍ−ニトロフェノキシカルボニル基、ｐ−ｔ−ブチルフェノキシカルボニル基等が挙げられる。
【００４９】
アルコキシカルボニル基としては、好ましくは、炭素数２から３０の置換若しくは無置換アルコキシカルボニル基、例えば、メトキシカルボニル基、エトキシカルボニル基、ｔ−ブトキシカルボニル基、ｎ−オクタデシルオキシカルボニル基等が挙げられる。
【００５０】
カルバモイル基としては、好ましくは、炭素数１から３０の置換若しくは無置換のカルバモイル基、例えば、カルバモイル基、Ｎ−メチルカルバモイル基、Ｎ，Ｎ−ジメチルカルバモイル基、Ｎ，Ｎ−ジ−ｎ−オクチルカルバモイル基、Ｎ−（メチルスルホニル）カルバモイル基等が挙げられる。
【００５１】
アリール又はヘテロ環アゾ基としては、好ましくは炭素数６から３０の置換若しくは無置換のアリールアゾ基、炭素数３から３０の置換若しくは無置換のヘテロ環アゾ基、例えば、フェニルアゾ基、ｐ−クロロフェニルアゾ基、５−エチルチオ−１，３，４−チアジアゾール−２−イルアゾ基等が挙げられる。
【００５２】
イミド基としては、好ましくは、Ｎ−スクシンイミド基、Ｎ−フタルイミド基等が挙げられる。
【００５３】
ホスフィノ基としては、好ましくは、炭素数０から３０の置換若しくは無置換のホスフィノ基、例えば、ジメチルホスフィノ基、ジフェニルホスフィノ基、メチルフェノキシホスフィノ基等が挙げられる。
【００５４】
ホスフィニル基としては、好ましくは、炭素数０から３０の置換若しくは無置換のホスフィニル基、例えば、ホスフィニル基、ジオクチルオキシホスフィニル基、ジエトキシホスフィニル基等が挙げられる。
【００５５】
ホスフィニルオキシ基としては、好ましくは、炭素数０から３０の置換若しくは無置換のホスフィニルオキシ基、例えば、ジフェノキシホスフィニルオキシ基、ジオクチルオキシホスフィニルオキシ基等が挙げられる。
【００５６】
ホスフィニルアミノ基としては、好ましくは、炭素数０から３０の置換若しくは無置換のホスフィニルアミノ基、例えば、ジメトキシホスフィニルアミノ基、ジメチルアミノホスフィニルアミノ基が挙げられる。
【００５７】
シリル基としては、好ましくは、炭素数０から３０の置換若しくは無置換のシリル基、例えば、トリメチルシリル基、ｔ−ブチルジメチルシリル基、フェニルジメチルシリル基等が挙げられる。
【００５８】
イオン性親水性基としては、スルホ基、カルボキシル基、チオカルボキシル基、スルフィノ基、ホスホノ基、ジヒドロキシホスフィノ基、４級アンモニウム基などが挙げられる。特に好ましくはスルホ基、カルボキシル基である。またイオン性親水性基はカチオン又はアニオンを含んでいてもよく、カチオン又はアニオンを含む状態を塩の状態と呼ぶ。カルボキシル基、ホスホノ基及びスルホ基は塩の状態であってもよく、塩を形成する対カチオンの例には、アンモニウムイオン、アルカリ金属イオン（例、リチウムイオン、ナトリウムイオン、カリウムイオン）及び有機カチオン（例、テトラメチルアンモニウムイオン、テトラメチルグアニジウムイオン、テトラメチルホスホニウム）が含まれ、リチウム塩、ナトリウム塩、カリウム塩、アンモニウム塩が好ましく、ナトリウム塩又はナトリウム塩を主成分とする混合塩が更に好ましく、ナトリウム塩が最も好ましい。
【００５９】
なお、本発明においては、化合物が塩である場合は、水溶性インク中では塩はイオンに解離して存在している。
【００６０】
〔一般式（Ｄ）で表される化合物〕
【００６１】
【化５】
2016052686.tif 000006
【００６２】
【化６】
2016052686.tif 000007
【００６３】
一般式（Ｄ）中、Ｄは上記一般式（１）又は一般式（２）で表される化合物からｎ個の水素原子を取り除いた残基を表し、Ｌは単結合又は２価若しくは３価の連結基を表し、Ｔは各々独立に下記一般式（Ｔ−１）、（Ｔ−４）、（Ｔ−６）、（Ｔ−８）、（Ｔ−９）、（Ｔ−１０）、（Ｔ−１１）、及び（Ｔ−１２）のいずれかで表される基を表す。ｎは１〜４を表す。ｎが２以上の整数を表す場合は、複数のＬ、Ｔは同じであっても異なっていてもよい。Ｒａ、Ｒｂ及びＲｃは各々独立に置換基を表し、ｎａは０〜４を表し、ｎｂ及びｎｃは各々独立に０〜３を表す。
【００６４】
一般式（１）又は一般式（２）中、Ｒ１、Ｒ３、Ｒ４、Ｒ５、Ｒ６、Ｒ７、Ｒ８、Ｒ９、Ｒ１０、Ｒ１１、Ｒ１２、Ｒ１４、Ｒ１５、Ｒ１６、Ｒ１７、Ｒ１８、Ｒ１９、及びＲ２０は各々独立に水素原子又は置換基を表し、Ｘ１及びＸ３は各々独立に、置換若しくは無置換のアミノ基、置換若しくは無置換のアルコキシ基、置換若しくは無置換のアリールオキシ基、置換若しくは無置換のヘテロ環オキシ基、置換若しくは無置換のアシルオキシ基、置換若しくは無置換のアルキルスルホニル基、置換若しくは無置換のアリールスルホニル基、置換若しくは無置換のアミノカルボニルオキシ基、置換若しくは無置換のウレイド基、置換若しくは無置換のアシル基、カルボキシル基、置換若しくは無置換のカルバモイル基、置換若しくは無置換のアルコキシカルボニル基、置換若しくは無置換のアリールオキシカルボニル基、置換若しくは無置換のスルファモイル基、メルカプト基、置換若しくは無置換のアルキルチオ基、置換若しくは無置換のアリールチオ基、又はスルホ基を表す。ただし、Ｘ１及びＸ３がスルホ基のとき、ＳＯ３Ｈの水素原子が外れてＬと連結することはない。
【００６５】
【化７】
2016052686.tif 000008
【００６６】
Ｒ２０１及びＲ２０２は各々独立にアルキル基を表す。Ｒ２０３、Ｒ２１３、Ｒ２１７、Ｒ２２２、Ｒ２２３及びＲ２２６は各々独立に置換基を表す。Ｒ２１４は水素原子、酸素ラジカル（−Ｏ・）、ヒドロキシ基、置換若しくは無置換のアルキル基又は置換若しくは無置換のアルコキシ基を表す。Ｒ２１５及びＲ２１６は各々独立に置換若しくは無置換の２級又は３級アルキル基を表す。Ｒ２１５及びＲ２１６は互いに結合して環を形成してもよい。Ｒ２１８及びＲ２１９は各々独立に水素原子、置換若しくは無置換のアルキル基、置換若しくは無置換のアリール基又は置換若しくは無置換のヘテロ環基を表す。Ｒ２１８及びＲ２１９は互いに結合して環を形成してもよい。Ｘ２０２は酸素原子又は窒素原子を表す。Ｘ２０３は炭素原子又は窒素原子を表す。Ｒ２１２は置換若しくは無置換のアリール基、置換若しくは無置換のヘテロ環基、又はＸ２０２と連結してアリール基若しくはヘテロ環基を形成する基を表す。Ｒ２２０及びＲ２２１は各々独立に水素原子、ハロゲン原子又は置換若しくは無置換のアルキル基を表す。Ｒ２２４、Ｒ２２５、Ｒ２２８及びＲ２２９は各々独立に水素原子又は置換若しくは無置換のアルキル基を表す。Ｒ２２４及びＲ２２５は互いに結合して環を形成してもよい。Ｒ２２７は置換若しくは無置換のアルキル基を表す。ｐ１０１は０〜３を表す。ｐ１０５、ｐ１０７、ｐ１０９、ｐ１１０及びｐ１１１は各々独立に０〜４を表す。ｐ１０１、ｐ１０５、ｐ１０７、ｐ１０９、ｐ１１０及びｐ１１１がそれぞれ２以上の数を表す場合は、複数のＲ２０３、Ｒ２１３、Ｒ２１７、Ｒ２２２、Ｒ２２３及びＲ２２６は同じであっても異なっていてもよい。ｍは１〜２を表す。
なお、一般式（Ｔ−１）、（Ｔ−４）、（Ｔ−６）、（Ｔ−８）、（Ｔ−９）、（Ｔ−１０）、（Ｔ−１１）及び（Ｔ−１２）のいずれかで表される基は、各々、式中のいずれか１つの水素原子が外れてＬと結合している。ただし、＊１を示してある水素原子が外れて連結することはない。一般式（Ｔ−６）におけるＲ２１４、及び一般式（Ｔ−１０）におけるＲ２２４及びＲ２２５、一般式（Ｔ−１２）におけるＲ２２８及びＲ２２９が水素原子のとき、外れて結合することはない。
【００６７】
一般式（Ｄ）中、Ｌは単結合又は２価若しくは３価の連結基を表す。Ｌで表される２価又は３価の連結基としては、置換若しくは無置換のアルキレン基、置換若しくは無置換のアリーレン基、置換若しくは無置換のアルケニレン基、置換若しくは無置換のヘテロ環基、−Ｏ−、−ＮＲ３１−、−ＣＯ−、−ＳＯ２−、−ＣＯＯ−、−ＳＯ２ＮＲ３１−、−ＣＯＮＲ３１−、又はこれらから選ばれる２種以上を組み合わせてなる２価又は３価の連結基が挙げられる。Ｒ３１は水素原子、置換若しくは無置換のアルキル基、置換若しくは無置換のアリール基、又は置換若しくは無置換のヘテロ環基を表し、水素原子又は置換若しくは無置換のアルキル基が好ましく、水素原子がより好ましい。
【００６８】
Ｌが表すアルキレン基としては、直鎖状、分岐鎖状、又は環状のいずれであってもよい。アルキレン基の好ましい炭素数は１〜１８であり、より好ましくは１〜１６であり、更に好ましくは１〜８である。アルキレン基の好ましい具体例としては、メチレン基、エチレン基、プロピレン基、シクロヘキシレン基（好ましくは１，３−シクロヘキシレン基若しくは１，４−シクロヘキシレン基）が好ましい。アルキレン基が置換基を有する場合の置換基としては上記置換基群Ａから選ばれる置換基が挙げられ、イオン性親水性基が好ましく、カルボキシル基又はスルホ基がより好ましい。
Ｌが表すアリーレン基としては、炭素数６〜１４のアリーレン基が好ましく、炭素数６〜１０のアリーレン基がより好ましく、フェニレン基（好ましくは１，３−フェニレン基若しくは１，４−フェニレン基）又はナフチレン基（好ましくは１，５−ナフチレン基）が更に好ましい。また、アリーレン基が置換基を有する場合の置換基としては上記置換基群Ａから選ばれる置換基が挙げられ、イオン性親水性基が好ましく、カルボキシル基又はスルホ基がより好ましい。
Ｌが表すアルケニレン基としては、炭素数は２〜１８のアルケニレン基が好ましく、炭素数は２〜１２のアルケニレン基がより好ましく、炭素数は２〜８のアルケニレン基が更に好ましい。アルケニレン基の好ましい具体例としては、ビニレン基、２−ブテニル基が好ましい。アルケニレン基が置換基を有する場合の置換基としては上記置換基群Ａから選ばれる置換基が挙げられ、アルキル基が好ましい。
Ｌが表すヘテロ環基としては、炭素数３〜１０のヘテロ環基が好ましい。ヘテロ原子としては、窒素原子、硫黄原子、酸素原子等を好適に含む。ヘテロ環基の例としては、トリアジン基、シアヌル基などが好ましい。また、ヘテロ環基が置換基を有する場合の置換基としては上記置換基群Ａから選ばれる置換基が挙げられ、置換若しくは無置換のアミノ基、置換若しくは無置換のアルキル基、イオン性親水性基が好ましい。
【００６９】
Ｌは、置換若しくは無置換のアルキレン基、置換若しくは無置換のアリーレン基、置換若しくは無置換のヘテロ環基、−Ｏ−、−ＮＲ３１−、−ＣＯ−、−ＣＯＯ−、−ＣＯＮＲ３１−、又はこれらから選ばれる２種以上を組み合わせてなる２価又は３価の連結基であることが好ましい。
以下に、Ｌの好ましい具体例を挙げるが、これらに限定されない。
【００７０】
【化８】
2016052686.tif 000009
【００７１】
一般式（Ｄ）中、Ｔは各々独立に上記一般式（Ｔ−１）、（Ｔ−４）、（Ｔ−６）、（Ｔ−８）、（Ｔ−９）、（Ｔ−１０）、（Ｔ−１１）、及び（Ｔ−１２）のいずれかで表される基を表す。
【００７２】
一般式（Ｔ−１）において、Ｒ２０１及びＲ２０２が表すアルキル基としては、炭素数１〜６のアルキル基が好ましく、炭素数１〜４のアルキル基がより好ましく、メチル基、エチル基、イソプロピル基、ｔｅｒｔ-ブチル基が更に好ましい。
Ｒ２０１及びＲ２０２が表すアルキル基は置換基を有していてもよい。アルキル基が置換基を有する場合の置換基としては上記置換基群Ａから選ばれる置換基が挙げられる。
Ｒ２０３が表す置換基としては上記置換基群Ａから選ばれる置換基が挙げられる。
ｐ１０１は０〜３を表し、好ましくは０〜１を表す。
一般式（Ｔ−１）がＬに連結するときの好ましい形態を以下に示す。＊を介してＬと結合することを意味する。
【００７３】
【化９】
2016052686.tif 000010
【００７４】
一般式（Ｔ−１１０）におけるＲ２０１及びＲ２０２は一般式（Ｔ−１）におけるＲ２０１及びＲ２０２と同じである。
【００７５】
一般式（Ｔ−４）において、Ｒ２１２のアリール基、ヘテロ環基、Ｘ２０２と連結して形成するアリール基又はヘテロ環基は、置換基を有していてもよい。各基が置換基を有する場合の置換基としては上記置換基群Ａから選ばれる置換基が挙げられる。
Ｒ２１２はアルキル基、アリール基、又はスルホ基を表すことが好ましい。
Ｒ２１２の表すアルキル基としては、炭素数１〜６のアルキル基が好ましく、炭素数１〜４のアルキル基がより好ましく、メチル基、エチル基、イソプロピル基、ｔｅｒｔ-ブチル基が更に好ましい。
Ｒ２１２の表すアリール基としては、炭素数６〜１４のアリール基が好ましく、炭素数６〜１０のアリール基がより好ましく、フェニル基、ナフチル基が更に好ましく、フェニル基が特に好ましい。
Ｒ２１２はＸ２０２と連結してヘテロ環基を形成することも好ましい。形成される環の例としては、ベンゾトリアゾール環、トリアゾール環、トリアジン環、ピリミジン環が挙げられる。
Ｒ２１３の置換基としては、置換基群Ａから選ばれる置換基が挙げられる。
ｐ１０５は、０〜４を表し、好ましくは、０〜２を表す。
【００７６】
一般式（Ｔ−４）は下記一般式（Ｔ−４１）、（Ｔ−４２）又は（Ｔ−４３）で表されることが好ましい。ただし、＊１を示してある水素原子は、外れてＬと結合することはない。
【００７７】
【化１０】
2016052686.tif 000011
【００７８】
Ｒ４０１、Ｒ４０２、Ｒ４０３、Ｒ４０４及びＲ４０５は各々独立に置換基を表す。Ｒ４０６及びＲ４０７は各々独立にアリール基又はヘテロ環基を表す。ｐ４０１、ｐ４０３、ｐ４０４及びｐ４０５は各々独立に０〜４を表し、ｐ４０２は０〜５を表す。ｐ４０１、ｐ４０２、ｐ４０３、ｐ４０４及びｐ４０５がそれぞれ２以上の数を表す場合は、複数のＲ４０１、Ｒ４０２、Ｒ４０３、Ｒ４０４及びＲ４０５は同じであっても異なっていてもよい。
【００７９】
Ｒ４０１、Ｒ４０２、Ｒ４０３、Ｒ４０４及びＲ４０５は各々独立に置換基を表す。置換基としては上記置換基群Ａから選ばれる置換基が挙げられる。
Ｒ４０６及びＲ４０７は各々独立にアリール基又はヘテロ環基を表す。Ｒ４０６及びＲ４０７は好ましくはフェニル基である。
ｐ４０１、ｐ４０３、ｐ４０４及びｐ４０５は好ましくは０〜２を表す。ｐ４０２は好ましくは０〜２を表す。
【００８０】
一般式（Ｔ−４）が連結基Ｌに連結するときの好ましい形態を以下に示す。＊を介してＬと結合することを意味する。
【００８１】
【化１１】
2016052686.tif 000012
【００８２】
Ｒ４０６ａ及びＲ４０７ａは各々独立に置換基を表す。Ｒ４０６ａ及びＲ４０７ａの好ましい範囲は、Ｒ４０５と同じである。ｐ４０６及びｐ４０７は各々独立に０〜５を表す。ｐ４０６及びｐ４０７がそれぞれ２以上の数を表す場合は、複数のＲ４０６ａ及びＲ４０７ａは同じであっても異なっていてもよい。
Ｒ４０１〜Ｒ４０５及びｐ４０１〜ｐ４０５は一般式（Ｔ−４１）、（Ｔ−４２）又は（Ｔ−４３）におけるＲ４０１〜Ｒ４０５及びｐ４０１〜ｐ４０５と同じである。
【００８３】
一般式（Ｔ−６）において、Ｒ２１４のアルキル基、アルコキシ基、及びＲ２１５のアルキル基は、置換基を有していてもよい。各基が置換基を有する場合の置換基としては上記置換基群Ａから選ばれる置換基が挙げられる。
Ｒ２１４は、水素原子、アルキル基が好ましい。Ｒ２１４のアルキル基としては、炭素数１〜６のアルキル基が好ましく、炭素数１〜４がより好ましく、メチル基、エチル基、プロピル基、ブチル基がさらに好ましい。
Ｒ２１５及びＲ２１６のアルキル基としては、分岐状のアルキル基であることが好ましく、炭素数３〜１０の２級アルキル基、又は炭素数４〜１０の３級アルキル基がより好ましい。２級アルキル基は、具体的には、イソプロピル基、ｓ−ブチル基、シクロヘキシル基などが挙げられる。３級アルキル基は、具体的には、ｔｅｒｔ−ブチル基、ｔｅｒｔ−アミル基などが挙げられる。Ｒ２１５及びＲ２１６は互いに結合して環を形成してもよい。環を形成する場合、形成される環の炭素数は２〜２０が好ましく、２〜１０がより好ましい。形成される環の例としては、アジリジン環、ピペリジン環、ピロリジン環などが挙げられる。中でも、Ｒ２１５及びＲ２１６が３級アルキルを表し、Ｒ２１５及びＲ２１６が互いに結合してピペリジン環を形成している態様が好ましい。
一般式（Ｔ−６）は下記一般式（Ｔ−６１）で表されることが好ましい。
【００８４】
【化１２】
2016052686.tif 000013
【００８５】
一般式（Ｔ−６）が連結するときの好ましい形態を以下に示す。＊を介してＬと結合することを意味する。
【００８６】
【化１３】
2016052686.tif 000014
【００８７】
一般式（Ｔ−６１）及び一般式（Ｔ−６１１）において、Ｒ２１４は一般式（Ｔ−６１）におけるＲ２１４と同じである。
【００８８】
一般式（Ｔ−８）において、Ｒ２１８及びＲ２１９のアルキル基、アリール基、ヘテロ環基は置換基を有していてもよい。
Ｒ２１８及びＲ２１９は、水素原子、アルキル基又はアリール基を表すことが好ましい。Ｒ２１８及びＲ２１９のアルキル基としては、炭素数１〜６のアルキル基が好ましく、炭素数１〜４がより好ましく、メチル基、エチル基、プロピル基、ブチル基がさらに好ましい。Ｒ２１８及びＲ２１９のアリール基としては、炭素数６〜１４のアリール基が好ましく、炭素数６〜１０のアリール基がより好ましく、フェニル基、ナフチル基が更に好ましく、フェニル基が特に好ましい。
Ｒ２１８及びＲ２１９は互いに結合して環を形成してもよく、この場合の環には窒素原子などのヘテロ原子を含んでいてもよい。
【００８９】
一般式（Ｔ−８）が連結するときの好ましい形態を以下に示す。＊を介してＬと結合することを意味する。
【００９０】
【化１４】
2016052686.tif 000015
【００９１】
一般式（Ｔ−８１）、及び一般式（Ｔ−８２）において、Ｒ２１８、及びＲ２１９は一般式（Ｔ−８）におけるＲ２１８、及びＲ２１９と同じである。
【００９２】
一般式（Ｔ−９）において、Ｒ２２０及びＲ２２１がアルキル基を表す場合、アルキル基は置換基を有していてもよい。
アルキル基が置換基を有する場合の置換基としては上記置換基群Ａから選ばれる置換基が挙げられる。
Ｒ２２０及びＲ２２１が表すアルキル基としては、炭素数１〜６のアルキル基が好ましく、炭素数１〜４のアルキル基がより好ましく、メチル基、エチル基、イソプロピル基、ｔｅｒｔ-ブチル基が更に好ましい。
Ｒ２２０及びＲ２２１がハロゲン原子を表す場合、塩素原子が好ましい。
Ｒ２２０及びＲ２２１が水素原子であることが特に好ましい。
【００９３】
Ｒ２２２及びＲ２２３が表す置換基としては上記置換基群Ａから選ばれる置換基が挙げられる。
ｐ１０９、及びｐ１１０は０〜３を表し、好ましくは０〜１を表す。
一般式（Ｔ−９）が連結基Ｌに連結するときの好ましい形態を以下に示す。＊を介してＬと結合することを意味する。
【００９４】
【化１５】
2016052686.tif 000016
【００９５】
一般式（Ｔ−９１）において、Ｒ２２０、Ｒ２２１、Ｒ２２２、Ｒ２２３、ｐ１０９、及びｐ１１０は、各々一般式（９）におけるＲ２２０、Ｒ２２１、Ｒ２２２、Ｒ２２３、ｐ１０９、及びｐ１１０と同じである。
【００９６】
一般式（Ｔ−１０）において、Ｒ２２４及びＲ２２５は各々独立に水素原子又は置換若しくは無置換のアルキル基を表す。Ｒ２２４及びＲ２２５は互いに結合して環を形成してもよい。Ｒ２２７は置換若しくは無置換のアルキル基を表す。
Ｒ２２４及びＲ２２５がアルキル基を表す場合、アルキル基は置換基を有していてもよい。アルキル基が置換基を有する場合の置換基としては上記置換基群Ａから選ばれる置換基が挙げられる。
Ｒ２２４及びＲ２２５が表すアルキル基としては、炭素数１〜６のアルキル基が好ましく、炭素数１〜４のアルキル基がより好ましく、メチル基、エチル基、イソプロピル基、ｔｅｒｔ-ブチル基が更に好ましい。
Ｒ２２４及びＲ２２５は、水素原子又はＲ２２４及びＲ２２５が互いに結合して環を形成する場合が好ましい。Ｒ２２４及びＲ２２５が互いに結合して環を形成する場合の環としては、ジオキソラン環が好ましい。
Ｒ２２６が表す置換基としては上記置換基群Ａから選ばれる置換基が挙げられる。
ｐ１１１は０〜４を表し、好ましくは０〜１を表す。
一般式（Ｔ−１０）が連結基Ｌに連結するときの好ましい形態を以下に示す。＊を介してＬと結合することを意味する。
【００９７】
【化１６】
2016052686.tif 000017
【００９８】
一般式（Ｔ−１０１）において、Ｒ２２４及びＲ２２５は一般式（Ｔ−１０）におけるＲ２２４及びＲ２２５と同義であり、好ましいものも同様である。
Ｒ２２６は一般式（Ｔ−１０）におけるＲ２２６と同義であり、好ましいものも同様である。
ｐ１１１は一般式（Ｔ−１０）におけるｐ１１１と同義であり、好ましい範囲も同様である。
【００９９】
一般式（Ｔ−１１）において、Ｒ２２７が表すアルキル基は置換基を有していてもよい。アルキル基が置換基を有する場合の置換基としては上記置換基群Ａから選ばれる置換基が挙げられる。
Ｒ２２７が表すアルキル基としては、炭素数１〜６のアルキル基が好ましく、炭素数１〜４のアルキル基がより好ましく、メチル基、エチル基、イソプロピル基、ｔｅｒｔ-ブチル基が更に好ましい。
ｍは１〜２を表し、２が好ましい。
なお、一般式（Ｔ−１１）で表される基と連結する際のＬは、ｍ＋１価の連結基を表す。
一般式（Ｔ−１１）は、一般式（Ｔ−１１１）であることが好ましい。
【０１００】
【化１７】
2016052686.tif 000018
【０１０１】
一般式（Ｔ−１１１）において、Ｒ２２７は一般式（Ｔ−１１）におけるＲ２２７と同義であり、好ましいものも同様である。
ｍは一般式（Ｔ−１１）におけるｍと同義であり、好ましいものも同様である。
【０１０２】
一般式（Ｔ−１２）において、Ｒ２２８及びＲ２２９は各々独立に水素原子又は置換若しくは無置換のアルキル基を表す。Ｒ２２８及びＲ２２９は互いに結合して環を形成してもよい。
Ｒ２２８及びＲ２２９がアルキル基を表す場合、アルキル基は置換基を有していてもよい。アルキル基が置換基を有する場合の置換基としては上記置換基群Ａから選ばれる置換基が挙げられる。
Ｒ２２８及びＲ２２９が表すアルキル基としては、炭素数１〜６のアルキル基が好ましく、炭素数１〜４のアルキル基がより好ましく、メチル基、エチル基、イソプロピル基、ｔｅｒｔ-ブチル基が更に好ましい。
Ｒ２２８及びＲ２２９は、水素原子又はＲ２２８及びＲ２２９が互いに結合して環を形成する場合が好ましい。Ｒ２２８及びＲ２２９が互いに結合して環を形成する場合の環としては、ジオキソラン環が好ましい。
Ｒ２１７が表す置換基としては上記置換基群Ａから選ばれる置換基が挙げられる。
ｐ１０７は０〜４を表し、好ましくは０〜１を表す。
一般式（Ｔ−１２）が連結基Ｌに連結するときの好ましい形態を以下に示す。＊を介してＬと結合することを意味する。
【０１０３】
【化１８】
2016052686.tif 000019
【０１０４】
一般式（Ｔ−１１２）において、Ｒ２２８は一般式（Ｔ−１２）におけるＲ２２８及びＲ２２９と同義であり、好ましいものも同様である。
Ｒ２１７は一般式（Ｔ−１２）におけるＲ２１７と同義であり、好ましいものも同様である。
ｐ１０７は一般式（Ｔ−１２）におけるｐ１０７と同義であり、好ましい範囲も同様である。
【０１０５】
一般式（１）又は（２）中、Ｒ１、Ｒ５、Ｒ６、Ｒ１０、Ｒ１１、Ｒ１５、Ｒ１６及びＲ２０は、原材料の入手性と合成の容易性の観点から、各々独立に水素原子、置換若しくは無置換のアルキル基、置換若しくは無置換のアリール基、置換若しくは無置換のアルコキシ基、置換若しくは無置換のアリールオキシ基、カルボキシル基、又はハロゲン原子を表すことが好ましく、より好ましくは置換若しくは無置換のアルキル基、置換若しくは無置換のアリール基、置換若しくは無置換のアルコキシ基であり、特に好ましくは置換若しくは無置換のアルキル基である。アルキル基としては、炭素数１〜６のアルキル基が好ましく、炭素数１〜３のアルキル基がより好ましく、メチル基が更に好ましい。また、各基が置換基を有する場合の置換基としては上記置換基群Ａから選ばれる置換基が挙げられる。
【０１０６】
一般式（１）又は（２）中、Ｒ７及びＲ１８は、原材料の入手性と合成の容易性の観点から、各々独立に水素原子、又はＸ１及びＸ３で表される基と同じ置換基であることが好ましい。Ｒ７及びＲ１８の好ましい範囲は、Ｘ１及びＸ３と同じである。また、各基が置換基を有する場合の置換基としては上記置換基群Ａから選ばれる置換基が挙げられる。
【０１０７】
一般式（２）中、Ｒ１２、Ｒ１４、Ｒ１７及びＲ１９は、原材料の入手性と合成の容易性の観点から、各々独立に水素原子、置換若しくは無置換のアルキル基、置換若しくは無置換のアリール基、置換若しくは無置換のアルコキシ基、置換若しくは無置換のアリールオキシ基、カルボキシル基、又はハロゲン原子を表すことが好ましく、より好ましくは置換若しくは無置換のアルキル基、置換若しくは無置換のアリール基、置換若しくは無置換のアルコキシ基であり、特に好ましくは置換若しくは無置換のアルキル基である。アルキル基としては、炭素数１〜６のアルキル基が好ましく、炭素数１〜３のアルキル基がより好ましく、メチル基が更に好ましい。また、各基が置換基を有する場合の置換基としては上記置換基群Ａから選ばれる置換基が挙げられる。
【０１０８】
一般式（１）中、Ｒ４及びＲ９は、原材料の入手性と合成の容易性、耐光性、耐オゾン性、印画濃度、及び彩度の観点から、各々独立に水素原子、スルファモイル基、置換若しくは無置換のアルキル基、置換若しくは無置換のアリール基、置換若しくは無置換のアルコキシ基、置換若しくは無置換のアリールオキシ基、置換若しくは無置換のアミノ基、置換若しくは無置換のアシルアミノ基、置換若しくは無置換のアルコキシカルボニルアミノ基、置換若しくは無置換のアルキルスルホニルアミノ基、置換若しくは無置換のアリールスルホニルアミノ基、置換若しくは無置換のアルキルウレイド基、置換若しくは無置換のアリールウレイド基、スルホ基、カルボキシル基、又はハロゲン原子を表すことが好ましく、より好ましくは置換若しくは無置換のアシルアミノ基、置換若しくは無置換のアルコキシカルボニルアミノ基、置換若しくは無置換のアルキルスルホニルアミノ基、置換若しくは無置換のアリールスルホニルアミノ基、置換若しくは無置換のアルキルウレイド基、置換若しくは無置換のアリールウレイド基、又はスルホ基であり、特に好ましくはスルホ基である。また、各基が置換基を有する場合の置換基としては上記置換基群Ａから選ばれる置換基が挙げられる。
【０１０９】
一般式（１）中、Ｒ３及びＲ８は、原材料の入手性と合成の容易性の観点から、各々独立に水素原子、置換若しくは無置換のアルキル基、置換若しくは無置換のアリール基、置換若しくは無置換のアルコキシ基、置換若しくは無置換のアリールオキシ基、置換若しくは無置換のアミノ基、置換若しくは無置換のアシルアミノ基、置換若しくは無置換のアルコキシカルボニルアミノ基、置換若しくは無置換のアルキルスルホニルアミノ基、置換若しくは無置換のアリールスルホニルアミノ基、置換若しくは無置換のアルキルウレイド基、置換若しくは無置換のアリールウレイド基、スルホ基、カルボキシル基、又はハロゲン原子を表すことが好ましく、より好ましくは水素原子、置換若しくは無置換のアルキル基、又はスルホ基であり、特に好ましくは置換若しくは無置換のアルキル基である。アルキル基としては、炭素数１〜６のアルキル基が好ましく、炭素数１〜３のアルキル基がより好ましく、メチル基が更に好ましい。また、各基が置換基を有する場合の置換基としては上記置換基群Ａから選ばれる置換基が挙げられる。  
【０１１０】
Ｘ１及びＸ３は、耐光性の観点で、好ましくは、置換若しくは無置換のアミノ基、置換若しくは無置換のアルコキシ基、置換若しくは無置換のアリールオキシ基、置換若しくは無置換のヘテロ環オキシ基、置換若しくは無置換のアシルオキシ基、置換若しくは無置換のアミノカルボニルオキシ基、置換若しくは無置換のウレイド基、置換若しくは無置換のアルキルチオ基、又は置換若しくは無置換のアリールチオ基を表す。
【０１１１】
Ｘ１及びＸ３は、彩度、耐光性及び耐オゾン性の観点から、置換若しくは無置換のアミノ基、又は置換若しくは無置換のウレイド基を表すことが好ましい。置換若しくは無置換のアミノ基としては、アミノ基（無置換）、置換若しくは無置換のアルキルアミノ基、置換若しくは無置換のアリールアミノ基、置換若しくは無置換のヘテリルアミノ基、置換若しくは無置換のアシルアミノ基、置換若しくは無置換のアルキルスルホニルアミノ基、置換若しくは無置換のアリールスルホニルアミノ基、置換若しくは無置換のアルコキシカルボニルアミノ基、又は置換若しくは無置換のアリールオキシカルボニルアミノ基が好ましく、アミノ基（無置換）、置換若しくは無置換のアルキルアミノ基、置換若しくは無置換のアリールアミノ基、置換若しくは無置換のヘテリルアミノ基、置換若しくは無置換のアルキルカルボニルアミノ基、置換若しくは無置換のアリールカルボニルアミノ基、置換若しくは無置換のアルキルスルホニルアミノ基、置換若しくは無置換のアリールスルホニルアミノ基、置換若しくは無置換のアルコキシカルボニルアミノ基、又は置換若しくは無置換のアリールオキシカルボニルアミノ基がより好ましく、アミノ基（無置換）、置換若しくは無置換のアルキルカルボニルアミノ基、置換若しくは無置換のアリールカルボニルアミノ基、置換若しくは無置換のアルキルスルホニルアミノ基、又は置換若しくは無置換のアリールスルホニルアミノ基が更に好ましい。
【０１１２】
一般式（１）又は（２）中、Ｒａは置換基を表し、上記置換基群Ａから選ばれる置換基が好ましい。ｎａは０〜４の整数を表し、０〜３が好ましく、０〜２がより好ましく、０又は１が更に好ましく、０が特に好ましい。
一般式（１）又は（２）中、Ｒｂ、Ｒｃは置換基を表し、上記置換基群Ａから選ばれる置換基が好ましく、スルホ基がより好ましい。ｎｂ及びｎｃは０〜３の整数を表し、０〜２が好ましく、０又は１がより好ましく、０が特に好ましい。
【０１１３】
一般式（１）又は一般式（２）は、彩度、耐光性及び耐オゾン性の観点から、それぞれ一般式（１−１）又は一般式（２−１）で表されることが好ましい。
【０１１４】
【化１９】
2016052686.tif 000020
【０１１５】
一般式（１−１）及び（２−１）中、Ｒ１、Ｒ３、Ｒ４、Ｒ５、Ｒ６、Ｒ７、Ｒ８、Ｒ９、Ｒ１０、Ｒ１１、Ｒ１２、Ｒ１４、Ｒ１５、Ｒ１６、Ｒ１７、Ｒ１８、Ｒ１９、及びＲ２０は各々独立に水素原子又は置換基を表し、Ｒ１０１及びＲ１０３は各々独立に水素原子、置換若しくは無置換のアルキル基、置換若しくは無置換のアリール基、置換若しくは無置換のヘテロ環基、置換若しくは無置換のアルキルカルボニル基、置換若しくは無置換のアリールカルボニル基、置換若しくは無置換のアルキルスルホニル基、置換若しくは無置換のアリールスルホニル基、置換若しくは無置換のアルコキシカルボニル基、置換若しくは無置換のアリールオキシカルボニル基、カルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換ジアリールアミノカルボニル基、又は置換若しくは無置換のアルキルアリールアミノカルボニル基を表し、Ｍは各々独立に水素原子又はアルカリ金属を表し、ａ１、ａ２、ａ３及びａ４は各々独立に０又は１を表す。
【０１１６】
一般式（１−１）及び（２−１）中、Ｒ１、Ｒ３、Ｒ４、Ｒ５、Ｒ６、Ｒ８、Ｒ９、Ｒ１０、Ｒ１１、Ｒ１２、Ｒ１４、Ｒ１５、Ｒ１６、Ｒ１７、Ｒ１９、及びＲ２０の具体例及び好ましい範囲は一般式（１）における、Ｒ１、Ｒ３、Ｒ４、Ｒ５、Ｒ６、Ｒ８、Ｒ９、Ｒ１０、Ｒ１１、Ｒ１２、Ｒ１４、Ｒ１５、Ｒ１６、Ｒ１７、Ｒ１９、及びＲ２０と同じである。
【０１１７】
Ｒ１０１、及びＲ１０３が置換若しくは無置換のアルキル基を表す場合のアルキル基としては、炭素数１〜８のアルキル基が好ましく、炭素数１〜３のアルキル基がより好ましい。また、アルキル基が置換基を有する場合の置換基としては上記置換基群Ａから選ばれる置換基が挙げられる。
【０１１８】
Ｒ１０１、及びＲ１０３が置換若しくは無置換のアリール基を表す場合のアリール基としては、炭素数６〜１４のアリール基が好ましく、炭素数６〜１０のアリール基がより好ましく、フェニル基が更に好ましい。また、アリール基が置換基を有する場合の置換基としては上記置換基群Ａから選ばれる置換基が挙げられる。
【０１１９】
Ｒ１０１、及びＲ１０３が置換若しくは無置換のヘテロ環基を表す場合のヘテロ環基としては、トリアジン基、チアゾリル基、ベンゾチアゾリル基、又はチアジアゾリル基が好ましい。また、のヘテロ環基が置換基を有する場合の置換基としては上記置換基群Ａから選ばれる置換基が挙げられ、置換若しくは無置換のアミノ基、置換若しくは無置換のスルファモイル基が好ましい。
【０１２０】
Ｒ１０１、及びＲ１０３が置換若しくは無置換のアルキルカルボニル基を表す場合のアルキルカルボニル基中のアルキル基としては、炭素数１〜８のアルキル基が好ましく、炭素数１〜３のアルキル基がより好ましい。また、アルキルカルボニル基が置換基を有する場合の置換基としては上記置換基群Ａから選ばれる置換基が挙げられる。
【０１２１】
Ｒ１０１、及びＲ１０３が置換若しくは無置換のアリールカルボニル基を表す場合のアリールカルボニル基中のアリール基としては、炭素数６〜１４のアリール基が好ましく、炭素数６〜１０のアリール基がより好ましい。具体的には、フェニルカルボニル基、ビフェニルカルボニル基、ナフチルカルボニル基が好ましく、フェニルカルボニル基がより好ましい。また、アリールカルボニル基が置換基を有する場合の置換基としては上記置換基群Ａから選ばれる置換基が挙げられ、カルボキシル基、ヒドロキシル基、ホスホノ基、アルコキシ基（好ましくは炭素数１〜６のアルコキシ基であり、より好ましくはシクロヘキシルオキシ基）が特に好ましい。
【０１２２】
Ｒ１０１、及びＲ１０３が置換若しくは無置換のアルキルスルホニル基を表す場合のアルキルスルホニル基としては、炭素数１〜８のアルキルスルホニル基が好ましく、炭素数１〜３のアルキルスルホニル基がより好ましく、メチルスルホニル基が更に好ましい。また、アルキルスルホニル基が置換基を有する場合の置換基としては上記置換基群Ａから選ばれる置換基が挙げられる。
【０１２３】
Ｒ１０１、及びＲ１０３が置換若しくは無置換のアリールスルホニル基を表す場合のアリールスルホニル基としては、炭素数６〜１４のアリールスルホニル基が好ましく、炭素数６〜１０のアリールスルホニル基がより好ましく、フェニルスルホニル基が更に好ましい。また、アリールスルホニル基が置換基を有する場合の置換基としては上記置換基群Ａから選ばれる置換基が挙げられ、カルボキシル基が特に好ましい。
【０１２４】
Ｒ１０１、及びＲ１０３が置換若しくは無置換のアルコキシカルボニル基を表す場合のアルコキシカルボニル基中のアルコキシ基としては、炭素数１〜８のアルコキシ基が好ましく、炭素数１〜３のアルコキシ基がより好ましい。また、アルコキシカルボニル基が置換基を有する場合の置換基としては上記置換基群Ａから選ばれる置換基が挙げられる。
【０１２５】
Ｒ１０１、及びＲ１０３が置換若しくは無置換のアリールオキシカルボニル基を表す場合のアリールオキシカルボニル基中のアリールオキシ基としては、炭素数６〜１４のアリールオキシ基が好ましく、炭素数６〜１０のアリールオキシ基がより好ましい。アリールオキシカルボニル基としては、フェニルオキシカルボニル基が更に好ましい。また、アリールオキシカルボニル基が置換基を有する場合の置換基としては上記置換基群Ａから選ばれる置換基が挙げられ、ニトロ基が特に好ましい。
【０１２６】
Ｒ１０１、及びＲ１０３が置換若しくは無置換のモノアルキルアミノカルボニル基を表す場合のモノアルキルアミノカルボニル基としては、−ＣＯＮＨＲ２０３で表されることが好ましい。ここでＲ２０３は炭素数１〜１２のアルキル基を表し、炭素数１〜１０のアルキル基が好ましく、炭素数１〜６のアルキル基がより好ましく、メチル基、エチル基、イソプロピル基、ヘキシル基、２−エチルヘキシル基、ドデシル基、シクロヘキシル基が更に好ましく、イソプロピル基が特に好ましい。また、モノアルキルアミノカルボニル基が置換基を有する場合の置換基としては上記置換基群Ａから選ばれる置換基が挙げられ、フェニル基、カルボキシル基、置換若しくは無置換のアミノ基、ヒドロキシル基が特に好ましい。
【０１２７】
Ｒ１０１、及びＲ１０３が置換若しくは無置換のジアルキルアミノカルボニル基を表す場合のジアルキルアミノカルボニル基としては、−ＣＯＮＲ２０４Ｒ２０５で表されることが好ましい。ここでＲ２０４及びＲ２０５は各々独立に炭素数１〜１０のアルキル基を表し、炭素数１〜６のアルキル基が好ましく、メチル基、イソプロピル基がより好ましい。また、ジアルキルアミノカルボニル基が置換基を有する場合の置換基としては上記置換基群Ａから選ばれる置換基が挙げられ、カルボキシル基、アルキルオキシカルボニル基（好ましくは炭素数２〜６のアルキルオキシカルボニル基であり、より好ましくはエチルオキシカルボニル基）が特に好ましい。
【０１２８】
Ｒ１０１、及びＲ１０３が置換若しくは無置換のモノアリールアミノカルボニル基を表す場合のモノアリールアミノカルボニル基としては、−ＣＯＮＨＲ２０６で表されることが好ましい。ここでＲ２０６は炭素数６〜１４のアリール基を表し、炭素数６〜１２のアリール基が好ましく、炭素数６〜１０のアリール基がより好ましい。具体的には、フェニル基、ビフェニル基、ナフチル基が好ましく、フェニル基がより好ましい。また、モノアリールアミノカルボニル基が置換基を有する場合の置換基としては上記置換基群Ａから選ばれる置換基が挙げられ、カルボキシル基、ヒドロキシル基、ホスホノ基、アルコキシ基（好ましくは炭素数１〜６のアルコキシ基であり、より好ましくはシクロヘキシルオキシ基）が特に好ましい。
Ｒ１０１、及びＲ１０３が置換若しくは無置換のジアリールアミノカルボニル基を表す場合のジアリールアミノカルボニル基としては、−ＣＯＮＲ２０７Ｒ２０８で表されることが好ましい。ここでＲ２０７及びＲ２０８は各々独立に炭素数６〜１４のアリール基を表し、炭素数６〜１０のアリール基が好ましく、フェニル基がより好ましい。また、ジアリールアミノカルボニル基が置換基を有する場合の置換基としては上記置換基群Ａから選ばれる置換基が挙げられる。
【０１２９】
Ｒ１０１及びＲ１０３が各々独立に水素原子、置換若しくは無置換のアルキル基、置換若しくは無置換のアリール基、置換若しくは無置換のヘテロ環基、置換若しくは無置換のアルキルスルホニル基、置換若しくは無置換のアリールスルホニル基、置換若しくは無置換のアルコキシカルボニル基、置換若しくは無置換のアリールオキシカルボニル基、カルバモイル基、置換若しくは無置換のモノアルキルアミノカルボニル基、置換若しくは無置換のジアルキルアミノカルボニル基、置換若しくは無置換のモノアリールアミノカルボニル基、置換若しくは無置換ジアリールアミノカルボニル基、又は置換若しくは無置換のアルキルアリールアミノカルボニル基を表すことが好ましい。
【０１３０】
Ｍは水素原子又はアルカリ金属を表す。Ｍとして好ましくは水素原子、リチウム、ナトリウム又はカリウムであり、より好ましくはナトリウム又はリチウムであり、特に好ましくはナトリウムである。
【０１３１】
一般式（Ｄ）で表される化合物は、一般式（３−１）、（３−２）、（４−１）、（５−１）、（５−２）、（６−１）、又は（７−１）で表される化合物であることが好ましい。
【０１３２】
〔一般式（３−１）で表される化合物〕
下記一般式（３−１）で表される化合物について説明する。
【０１３３】
一般式（３−１）
【０１３４】
【化２０】
2016052686.tif 000021
【０１３５】
一般式（３−１）中のＲ１、Ｒ３、Ｒ４、Ｒ５、Ｒ６、Ｒ８、Ｒ９、及びＲ１０は、一般式（１−１）におけるＲ１、Ｒ３、Ｒ４、Ｒ５、Ｒ６、Ｒ８、Ｒ９、及びＲ１０と同義であり、具体例及び好ましい範囲も同様である。
Ｌ１及びＬ２は、一般式（Ｄ）中のＬと同義であり、具体例及び好ましい範囲も同様である。
Ｔ１及びＴ２は、一般式（Ｄ）中のＴと同義であり、具体例及び好ましい範囲も同様である。
【０１３６】
以下に一般式（３−１）で表される化合物の具体例を挙げるが、これらに限定されるわけではない。Ｌ１中の＊はＮＨと連結する部位を、＊＊はＴ１と連結する部位を表す。Ｔ１における＊はＬ１と連結する部位を表す。Ｌ２中の＊はＮＨと連結する部位を、＊＊はＴ２と連結する部位を表す。Ｔ２における＊はＬ２と連結する部位を表す。
【０１３７】
【化２１】
2016052686.tif 000022
【０１３８】
【化２２】
2016052686.tif 000023
【０１３９】
【化２３】
2016052686.tif 000024
【０１４０】
【化２４】
2016052686.tif 000025
【０１４１】
〔一般式（３−２）で表される化合物〕
下記一般式（３−２））で表される化合物について説明する。
【０１４２】
一般式（３−２）
【０１４３】
【化２５】
2016052686.tif 000026
【０１４４】
一般式（３−２）中のＲ１、Ｒ３、Ｒ５、Ｒ６、Ｒ８、Ｒ１０、及びＲ１０１は、一般式（１−１）におけるＲ１、Ｒ３、Ｒ５、Ｒ６、Ｒ８、Ｒ１０、及びＲ１０１と同義であり、具体例及び好ましい範囲も同様である。
Ｒ１０２はＲ１０１と同義であり、具体例及び好ましい範囲も同様である。
Ｌ３及びＬ４は、一般式（Ｄ）中のＬと同義であり、具体例及び好ましい範囲も同様である。
Ｔ３及びＴ４は、一般式（Ｄ）中のＴと同義であり、具体例及び好ましい範囲も同様である。
【０１４５】
以下に一般式（３−２）で表される化合物の具体例を挙げるが、これらに限定されるわけではない。Ｌ３中の＊はＮＨと連結する部位を、＊＊はＴ３と連結する部位を表す。Ｔ３における＊はＬ３と連結する部位を表す。Ｌ４中の＊はＮＨと連結する部位を、＊＊はＴ４と連結する部位を表す。Ｔ４における＊はＬ４と連結する部位を表す。
【０１４６】
【化２６】
2016052686.tif 000027
【０１４７】
【化２７】
2016052686.tif 000028
【０１４８】
【化２８】
2016052686.tif 000029
【０１４９】
〔一般式（４−１）で表される化合物〕
下記一般式（４−１））で表される化合物について説明する。
【０１５０】
一般式（４−１）
【０１５１】
【化２９】
2016052686.tif 000030
【０１５２】
一般式（４−１）中のＲ１１、Ｒ１２、Ｒ１４、Ｒ１５、Ｒ１６、Ｒ１７、Ｒ１９、及びＲ２０は、一般式（２−１）におけるＲ１１、Ｒ１２、Ｒ１４、Ｒ１５、Ｒ１６、Ｒ１７、Ｒ１９、及びＲ２０と同義であり、具体例及び好ましい範囲も同様である。
Ｌ５及びＬ６は、一般式（Ｄ）中のＬと同義であり、具体例及び好ましい範囲も同様である。
Ｔ５及びＴ６は、一般式（Ｄ）中のＴと同義であり、具体例及び好ましい範囲も同様である。
【０１５３】
以下に一般式（４−１）で表される化合物の具体例を挙げるが、これらに限定されるわけではない。Ｌ５中の＊はＮＨと連結する部位を、＊＊はＴ５と連結する部位を表す。Ｔ５における＊はＬ５と連結する部位を表す。Ｌ６中の＊はＮＨと連結する部位を、＊＊はＴ６と連結する部位を表す。Ｔ６における＊はＬ６と連結する部位を表す。
【０１５４】
【化３０】
2016052686.tif 000031
【０１５５】
【化３１】
2016052686.tif 000032
【０１５６】
〔一般式（５−１）で表される化合物〕
下記一般式（５−１）で表される化合物について説明する。
【０１５７】
一般式（５−１）
【０１５８】
【化３２】
2016052686.tif 000033
【０１５９】
一般式（５−１）中のＲ１、Ｒ３、Ｒ４、Ｒ５、Ｒ６、Ｒ８、Ｒ９、及びＲ１０は、一般式（１−１）におけるＲ１、Ｒ３、Ｒ４、Ｒ５、Ｒ６、Ｒ８、Ｒ９、及びＲ１０と同義であり、具体例及び好ましい範囲も同様である。
Ｌ３及びＬ４は、一般式（Ｄ）中のＬと同義であり、具体例及び好ましい範囲も同様である。
Ｔ３及びＴ４は、一般式（Ｄ）中のＴと同義であり、具体例及び好ましい範囲も同様である。
ｎ５は０又は１を表す。
【０１６０】
一般式（５−１）で表される化合物は、一般式（５−１−１）又は（５−１−２）で表される化合物の混合物であってもよい。
【０１６１】
【化３３】
2016052686.tif 000034
【０１６２】
一般式（５−１−１）及び一般式（５−１−２）中のＲ１、Ｒ３、Ｒ４、Ｒ５、Ｒ６、Ｒ８、Ｒ９、及びＲ１０は、一般式（１−１）におけるＲ１、Ｒ３、Ｒ４、Ｒ５、Ｒ６、Ｒ８、Ｒ９、及びＲ１０と同義であり、具体例及び好ましい範囲も同様である。
Ｌ３及びＬ４は、一般式（Ｄ）中のＬと同義であり、具体例及び好ましい範囲も同様である。
Ｔ３及びＴ４は、一般式（Ｄ）中のＴと同義であり、具体例及び好ましい範囲も同様である。
【０１６３】
以下に一般式（５−１）で表される化合物の具体例を挙げるが、これらに限定されるわけではない。なお、下記具体例化合物において、Ｔ３又はＴ４を含む基は窒素原子に対してパラ位及びメタ位に置換したものの混合物となっている。Ｌ３中の＊はＮＨと連結する部位を、＊＊はＴ３と連結する部位を表す。Ｔ３における＊はＬ３と連結する部位を表す。Ｌ４中の＊はＮＨと連結する部位を、＊＊はＴ４と連結する部位を表す。Ｔ４における＊はＬ４と連結する部位を表す。
【０１６４】
【化３４】
2016052686.tif 000035
【０１６５】
【化３５】
2016052686.tif 000036
【０１６６】
〔一般式（６−１）で表される化合物〕
下記一般式（６−１）で表される化合物について説明する。
【０１６７】
一般式（６−１）
【０１６８】
【化３６】
2016052686.tif 000037
【０１６９】
一般式（６−１）中のＲ１、Ｒ３、Ｒ４、Ｒ５、Ｒ６、Ｒ８、Ｒ９、及びＲ１０は、一般式（１−１）におけるＲ１、Ｒ３、Ｒ４、Ｒ５、Ｒ６、Ｒ８、Ｒ９、及びＲ１０と同義であり、具体例及び好ましい範囲も同様である。
Ｌ３及びＬ４は、一般式（Ｄ）中のＬと同義であり、具体例及び好ましい範囲も同様である。
Ｔ３及びＴ４は、一般式（Ｄ）中のＴと同義であり、具体例及び好ましい範囲も同様である。
ｎ５は０又は１を表す。
【０１７０】
以下に一般式（６−１）で表される化合物の具体例を挙げるが、これらに限定されるわけではない。なお、下記具体例化合物において、Ｔ３又はＴ４を含む基は窒素原子に対してパラ位及びメタ位に置換したものの混合物となっている。Ｌ３中の＊はＮＨと連結する部位を、＊＊はＴ３と連結する部位を表す。Ｔ３における＊はＬ３と連結する部位を表す。Ｌ４中の＊はＮＨと連結する部位を、＊＊はＴ４と連結する部位を表す。Ｔ４における＊はＬ４と連結する部位を表す。
【０１７１】
【化３７】
2016052686.tif 000038
【０１７２】
【化３８】
2016052686.tif 000039
【０１７３】
〔一般式（７−１）で表される化合物〕
下記一般式（７−１）で表される化合物について説明する。
【０１７４】
【化３９】
2016052686.tif 000040
【０１７５】
一般式（７−１）中、Ｒ７０１、Ｒ７０２及びＲ７０３は各々独立に炭素数１〜３の無置換のアルキル基を表す。Ｒ７０１、Ｒ７０２及びＲ７０３として、好ましくはメチル基、エチル基、イソプロピル基であり、より好ましくはメチル基、エチル基であり、特に好ましくはメチル基である。
Ｌ１は、一般式（Ｄ）中のＬと同義であり、具体例及び好ましい範囲も同様である。
Ｔ１は、一般式（Ｄ）中のＴと同義であり、具体例及び好ましい範囲も同様である。
Ｍは水素原子又はアルカリ金属を表す。Ｍとして好ましくは水素原子、リチウム、ナトリウム又はカリウムであり、より好ましくはナトリウム又はリチウムであり、特に好ましくはナトリウムである。
一般式（７−１）中の複数あるＲ７０１、Ｒ７０２、Ｒ７０３、Ｌ１、Ｔ１及びＭは、各々独立に同じであっても異なっていてもよい。好ましくは複数あるＲ７０１、Ｒ７０２、Ｒ７０３、Ｌ１、Ｔ１及びＭは各々同じである。
【０１７６】
以下に、一般式（７−１）で表される化合物の具体例を挙げるが、これらに限定される訳ではない。Ｍｅはメチル基を、Ｅｔはエチル基を、ｉ−Ｐｒはイソプロピル基を、ｔ−Ｂｕはｔｅｒｔ−ブチル基を表す。また、Ｌ１中の＊はＮＨと連結する部位を、＊＊はＴ１と連結する部位を表す。Ｔ１における＊はＬ１と連結する部位を表す。
【０１７７】
【化４０】
2016052686.tif 000041
【０１７８】
一般式（Ｄ）で表される化合物は、水への溶解性の観点から、分子内中に少なくとも２つ、カルボキシル基、スルホ基、又はホスホノ基などのイオン性親水性基を有することが好ましい。イオン性親水基としては、カルボキシル基又はスルホ基が好ましく、スルホ基が最も好ましい。少なくとも２つのイオン性親水基を有することで水に可溶な化合物となる。これらのイオン性親水性基の対カチオンとしては、水素原子（プロトン）、アルカリ金属カチオン（リチウムイオン、ナトリウムイオン、又はカリウムイオン）、アンモニウムイオンなどが挙げられる。一般式（１）又は（２）で表される化合物は水に対して、１〜７０質量％溶解することが好ましく、２〜５０質量％溶解することがより好ましい。イオン性親水基の数としては、１〜９であり、より好ましくは１〜５である。
【０１７９】
一般式（Ｄ）で表される化合物の合成方法の詳細は実施例で説明する。
【０１８０】
〔着色組成物〕
本発明の着色組成物は少なくとも一種の上記一般式（Ｄ）で表される化合物を含有する。本発明の着色組成物は、媒体を含有させることができるが、媒体として溶媒を用いた場合は特にインクジェット記録用インクとして好適である。本発明の着色組成物は、媒体として、親油性媒体や水性媒体を用いて、それらの中に、上記一般式（Ｄ）で表される化合物を溶解及び／又は分散させることによって作製することができる。好ましくは、水性媒体を用いる場合である。本発明の着色組成物には、媒体を除いたインク用組成物も含まれる。
【０１８１】
本発明において、着色組成物中に含まれる本発明の化合物の含有量は、用いられる一般式（Ｄ）における置換基の種類、及び着色組成物を製造するために用いる溶媒成分の種類等により決められるが、着色組成物中の一般式（Ｄ）で表される化合物の含有量が、着色組成物の総質量に対して０．２〜２０質量％含まれることが好ましく、１〜１０質量％含まれることがより好ましく、２〜６質量％含まれることが更に好ましい。
【０１８２】
着色組成物中に含まれる一般式（Ｄ）で表される化合物の含有量を１質量％以上にすることで、印刷したときの記録媒体上におけるインクの印画濃度を良好にでき、かつ必要とされる画像濃度を確保できる。また、着色組成物中に含まれる一般式（Ｄ）で表される化合物の合計量を２０質量％以下にすることで、インクジェット記録方法に用いた場合に着色組成物の吐出性を良好にでき、しかもインクジェットノズルが目詰まりしにくい等の効果が得られる。
【０１８３】
本発明の着色組成物は、必要に応じてその他の添加剤を、本発明の効果を害しない範囲内において含有しうる。その他の添加剤としては、後述のインクジェット記録用インクに使用しうる添加剤が挙げられる。
【０１８４】
［インクジェット記録用インク］
次に本発明のインクジェット記録用インクについて説明する。
本発明のインクジェット記録用インクは、少なくとも一種の上記一般式（Ｄ）で表される化合物を含有する。
インクジェット記録用インクは、親油性媒体や水性媒体中に一般式（Ｄ）で表される化合物を溶解及び／又は分散させることによって作製することができる。インクジェット記録用インクは、好ましくは水性媒体を用いたインクである。
インクジェット記録用インクは必要に応じてその他の添加剤を、本発明の効果を害しない範囲内において含有することができる。その他の添加剤としては、例えば、乾燥防止剤（湿潤剤）、褪色防止剤、乳化安定剤、浸透促進剤、紫外線吸収剤、防腐剤、防黴剤、ｐＨ調整剤、表面張力調整剤、消泡剤、粘度調整剤、分散剤、分散安定剤、防錆剤、キレート剤等の公知の添加剤が挙げられる。これらの各種添加剤は、水溶性インクの場合にはインク液に直接添加する。油溶性染料を分散物の形で用いる場合には、染料分散物の調製後分散物に添加するのが一般的であるが、調製時に油相又は水相に添加してもよい。
【０１８５】
本発明で使用することができる添加剤としては、特開２０１３−１３３３９４号公報〔００９１〕〜〔０１０１〕記載の添加剤が挙げられる。使用形態や使用方法などについては、上記特許文献に記載されている内容を好ましく参照することができる。
【０１８６】
本発明のインクジェット記録用インク１００質量％中に、一般式（Ｄ）で表される化合物を０．２質量％以上１０質量％以下含有するのが好ましく、１質量％以上６質量％以下含有するのがより好ましい。また、本発明のインクジェット記録用インクには、一般式（Ｄ）で表される化合物とともに、他の色素を併用してもよい。２種類以上の色素を併用する場合は、色素の含有量の合計が上記範囲となっているのが好ましい。
【０１８７】
本発明のインクジェット記録用インクは、粘度が３０ｍＰａ・ｓ以下であるのが好ましい。また、その表面張力は２５ｍＮ／ｍ以上７０ｍＮ／ｍ以下であるのが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。
【０１８８】
本発明のインクジェット記録用インクは、単色の画像形成のみならず、フルカラーの画像形成に用いることができる。特にマゼンタ色調のインクジェット記録用インクとして好ましく利用される。
【０１８９】
本発明のインク組成物は、印捺、複写、マーキング、筆記、製図、スタンピングなどの記録方法に使用でき、特にインクジェット記録方法における使用に適する。
【０１９０】
［インクジェット記録方法］
本発明は、本発明の着色組成物又はインクジェット記録用インクを用いて、画像形成するインクジェット記録方法にも関する。
【０１９１】
［インクジェットプリンタカートリッジ、及びインクジェット記録物］
本発明のインクジェット記録用インクカートリッジは、上記した本発明のインクジェット記録用インクを充填したものである。また、本発明のインクジェット記録物は、上記した本発明のインクジェット記録用インクを用いて、被記録材に着色画像を形成したものである。
【０１９２】
以下に、本発明のインクを用いてインクジェットプリントをするのに用いられる記録紙及び記録フィルムについて説明する。
記録紙及び記録フィルムにおける支持体は、ＬＢＫＰ、ＮＢＫＰ等の化学パルプ、ＧＰ、ＰＧＷ、ＲＭＰ、ＴＭＰ、ＣＴＭＰ、ＣＭＰ、ＣＧＰ等の機械パルプ、ＤＩＰ等の古紙パルプ等からなり、必要に応じて従来公知の顔料、バインダー、サイズ剤、定着剤、カチオン剤、紙力増強剤等の添加剤を混合し、長網抄紙機、円網抄紙機等の各種装置で製造されたもの等が使用可能である。これらの支持体の他に合成紙、プラスチックフィルムシートのいずれであってもよく、支持体の厚みは１０〜２５０μｍ、坪量は１０〜２５０ｇ／ｍ２が望ましい。
【０１９３】
インクジェット記録紙及び記録フィルムの構成層（バックコート層を含む）には、ポリマーラテックスを添加してもよい。ポリマーラテックスは、寸度安定化、カール防止、接着防止、膜のひび割れ防止のような膜物性改良の目的で使用される。ポリマーラテックスについては、特開昭６２−２４５２５８号、同６２−１３６６４８号、同６２−１１００６６号の各公報に記載がある。ガラス転移温度が低い（４０℃以下の）ポリマーラテックスを媒染剤を含む層に添加すると、層のひび割れやカールを防止することができる。また、ガラス転移温度が高いポリマーラテックスをバックコート層に添加しても、カールを防止することができる。
【０１９４】
本発明のインクジェット記録用インクは、インクジェットの記録方式に制限はなく、公知の方式、例えば静電誘引力を利用してインクを吐出させる電荷制御方式、ピエゾ素子の振動圧力を利用するドロップオンデマンド方式（圧力パルス方式）、電気信号を音響ビームに変えインクに照射して、放射圧を利用してインクを吐出させる音響インクジェット方式、及びインクを加熱して気泡を形成し、生じた圧力を利用するサーマルインクジェット方式等に用いられる。インクジェット記録方式には、フォトインクと称する濃度の低いインクを小さい体積で多数射出する方式、実質的に同じ色相で濃度の異なる複数のインクを用いて画質を改良する方式や無色透明のインクを用いる方式が含まれる。
【０１９５】
［カラーフィルタ］
本発明は、上記一般式（Ｄ）で表される化合物を含有するカラーフィルタにも関する。
カラーフィルタの形成方法としては、初めにフォトレジストによりパターンを形成し、次いで染色する方法、或いは特開平４−１６３５５２号、特開平４−１２８７０３号、特開平４−１７５７５３号公報で開示されているように色素を添加したフォトレジストによりパターンを形成する方法がある。本発明の化合物をカラーフィルタに導入する場合に用いられる方法としては、これらのいずれの方法を用いても良いが、好ましい方法としては、特開平４−１７５７５３号や特開平６−３５１８２号に記載されたところの、熱硬化性樹脂、キノンジアジド化合物、架橋剤、色素及び溶剤を含有してなるポジ型レジスト組成物、並びに、それを基体上に塗布後、マスクを通して露光し、上記露光部を現像してポジ型レジストパターンを形成させ、上記ポジ型レジストパターンを全面露光し、次いで露光後のポジ型レジストパターンを硬化させることからなるカラーフィルタの形成方法を挙げる事ができる。また、常法に従いブラックマトリックスを形成させ、ＲＧＢ原色系あるいはＹ、Ｍ、Ｃ補色系カラーフィルタを得ることができる。カラーフィルタの場合も本発明の化合物の使用量の制限はないが０．１〜５０質量％が好ましい。
【０１９６】
この際使用する熱硬化性樹脂、キノンジアジド化合物、架橋剤、及び溶剤とそれらの使用量については、上記特許文献に記載されているものを好ましく使用することができる。
【０１９７】
［カラートナー］
本発明は、上記一般式（Ｄ）で表される化合物を含有するカラートナーにも関する。
カラートナー１００質量部中の本発明の化合物の含有量は特に制限がないが、０．１質量部以上含有するのが好ましく、１〜２０質量部がより好ましく、２〜１０質量部含有するのが最も好ましい。本発明の化合物を導入するカラートナー用バインダー樹脂としては一般に使用される全てのバインダーが使用出来る。例えば、スチレン系樹脂・アクリル系樹脂・スチレン／アクリル系樹脂・ポリエステル樹脂等が挙げられる。
トナーに対して流動性向上、帯電制御等を目的として無機微粉末、有機微粒子を外部添加しても良い。表面をアルキル基含有のカップリング剤等で処理したシリカ微粒子、チタニア微粒子が好ましく用いられる。なお、これらは数平均一次粒子径が１０〜５００ｎｍのものが好ましく、さらにはトナー中に０．１〜２０質量％添加するのが好ましい。
【０１９８】
離型剤としては、従来使用されている離型剤は全て使用することができる。具体的には、低分子量ポリプロピレン・低分子量ポリエチレン・エチレン−プロピレン共重合体等のオレフィン類、マイクロクリスタリンワックス・カルナウバワックス・サゾールワックス・パラフィンワックス等が挙げられる。これらの添加量はトナー中に１〜５質量％添加することが好ましい。
【０１９９】
荷電制御剤としては、必要に応じて添加しても良いが、発色性の点から無色のものが好ましい。例えば４級アンモニウム塩構造のもの、カリックスアレン構造を有するもの等が挙げられる。
【０２００】
キャリアとしては、鉄・フェライト等の磁性材料粒子のみで構成される非被覆キャリア、磁性材料粒子表面を樹脂等によって被覆した樹脂被覆キャリアのいずれを使用してもよい。このキャリアの平均粒径は体積平均粒子径で３０〜１５０μｍが好ましい。
【０２０１】
トナーが適用される画像形成方法としては、特に限定されるものではないが、例えば感光体上に繰り返しカラー画像を形成した後に転写を行い画像を形成する方法や、感光体に形成された画像を逐次中間転写体等へ転写し、カラー画像を中間転写体等に形成した後に紙等の画像形成部材へ転写しカラー画像を形成する方法等が挙げられる。
【０２０２】
［転写用インク］
本発明は、上記一般式（Ｄ）で表される化合物を含有する転写用インクにも関する。
転写用インクとしては昇華転写用インクが好ましい。昇華転写用インクは、一般に、昇華性染料と水とを含むものであるが、さらに、インクジェットヘッドのノズルの目詰まり防止、吐出安定性の確保等のために、水溶性有機溶剤を含むものが広く用いられている。水溶性有機溶剤としては、例えば、ポリオール化合物、グリコールエーテル、糖類、ベタイン化合物等が挙げられる。
【０２０３】
本発明の昇華転写用インクは、その他成分として、分散剤、防腐防黴剤、ｐＨ調整剤、キレート試薬、防錆剤、紫外線吸収剤、消泡剤、表面張力調整剤、ポリシロキサン化合物等を含んでもよい。分散剤は、特に限定されないが、芳香族スルホン酸のホルマリン縮合物などのアニオン系分散剤、フィトステロールのエチレンオキサイド付加物、コレスタノールのエチレンオキサイド付加物等のノニオン系分散剤、ポリアクリル酸部分アルキルエステル、ポリアルキレンポリアミン、ポリアクリル酸塩、スチレン−アクリル酸共重合物、ビニルナフタレン−マレイン酸共重合物等の高分子分散剤が使用できる。
【０２０４】
染色物の作成方法としては、特開２００４−１０７６４７号公報、特開２００９−２０２５４１号公報、特開２０１３−１６３７１６号公報、特開２０１４−１５６８５号公報、特開２０１４−８０５３９号公報に記載の方法で作成することができる。
【０２０５】
この際使用する添加剤や溶媒、それらの使用量、及びインク物性については、上記特許文献に記載されているもの、又は前述のインクジェット記録用インクで使用するものを好ましく使用することができる。
【０２０６】
被染色物としては、いかなるものを用いてもよく、例えば、布帛（疎水性繊維布帛等）、樹脂（プラスチック）フィルム、紙等のシート状の物が好適に用いられるが、シート状以外の球状、直方体形状等の立体的な形状を有する物を用いてもよい。
【０２０７】
本発明の染色又は捺染用着色組成物（以下、「着色組成物」とも呼ぶ）は、一般式（Ｄ）で表される化合物を含有する。また、一般式（Ｄ）で表される化合物は１種のみを用いてもよいし、２種以上を組み合わせて用いてもよい。
本発明の着色組成物は、着色剤として、一般式（Ｄ）で表される化合物のみを含有するものであってもよいが、本発明の効果を損なわない範囲で、さらに他の着色剤を含有していてもよい。併用してもよい着色剤としては、公知のものが挙げられ、例えば、染色ノート（株式会社  色染社発行の第２４版  以下同様）３３頁〜１２１頁の染料、１２４頁〜１３０頁の顔料などが挙げられる。
【０２０８】
着色組成物中の一般式（Ｄ）で表される化合物の含有量は、１〜２０質量％であることが好ましく、１〜１０質量％がより好ましい。
着色組成物中に含まれる一般式（Ｄ）で表される化合物の含有量を１質量％以上にすることで、印刷したときの記録媒体上におけるインクの印画濃度を良好にでき、かつ必要とされる画像濃度を確保できる。また、着色組成物中に含まれる一般式（Ｄ）で表される化合物の合計量を２０質量％以下にすることで、浸染や、スクリーン捺染、ローラー捺染などの捺染方法で用いた場合には、染料の析出を防止することができ、さらに適切な濃度に調整しやすい。インクジェット捺染方法に用いた場合には着色組成物の吐出性を良好にでき、しかもインクジェットノズルが目詰まりしにくい等の効果が得られる。
本発明における着色組成物は、一般式（Ｄ）の化合物以外に、溶媒を含有することが一般的である。溶媒の種類や量は、一般式（Ｄ）の化合物の種類、染める濃度や、染色方法によって異なるが、着色組成物の全量に対して、溶媒を４０質量％以上含有することが好ましい。溶媒としては、水を含むことが好ましく、溶媒全量に対して、水を５０質量％以上含むことが好ましい。また、着色組成物の全量に対して、水を３０質量％以上含有することが好ましい。
【０２０９】
〔染色又は捺染用着色組成物、及び染色又は捺染方法〕
本発明の染色又は捺染用着色組成物は、繊維を染めるための着色組成物であれば使用形態は限定されない。繊維の染色法は浸染法と捺染法に大別される。浸染とは、染料を溶媒に溶解又は分散した染料液に被染布又は被染糸を浸漬し、繊維表面に均一に吸着させ、染料を繊維内部に拡散し、結合によって染着を行う工程である。捺染とは、染料や顔料を被染布上に塗布して模様の形を与え、染顔料を染着又は固着させることによって模様のある染色物をつくる染色法であり、単色又は多色を用いて被染布の上に模様効果を発現する。工業的には版を用いるスクリーン捺染、ローラー捺染、転写紙を用いる転写捺染、無製版のインクジェット捺染が行われている。
【０２１０】
〔〔浸染用着色組成物、及びそれを用いた方法〕〕
浸染は、染料液に布帛又は糸を浸漬して染料を染着させる工程と、繊維に染着しない未固着の染料を洗い流す洗浄工程と、乾燥工程からなる。本発明の着色性組成物を浸染で用いる場合には、着色性組成物は、布帛を浸漬できる染色液として用いる。この場合、染色液としては、染料以外に、溶媒、均捺助剤、ｐＨ調整剤、無機中性塩、分散剤などを含有することができる。溶媒としては一般的に、水が用いられる。均捺助剤などの添加剤としては公知のものを使用でき、例えば、染色ノート１３４頁〜１４５頁に記載の湿潤剤、浸透剤、染色ノート１４７頁〜１５４頁記載の金属イオン封止剤、染色ノート２１６頁〜２２２頁記載の分散剤、染色ノート２３０頁〜２５５頁記載の均捺剤、染色ノート２８５頁〜２８６頁記載の防染剤、染色ノート２７９頁〜２８４頁記載のマイレーション防止剤、染色ノート３０４頁〜３２１頁記載の染料固着剤、染色堅牢度向上剤、染色ノート３２２頁〜３３４頁記載のｐＨ調整剤などが挙げられる。染料を高濃度で、均一に染めるには添加剤使用する以外には、染料濃度、染浴ｐＨ、塩濃度、染色温度、染色時間、圧力、液流を制することで調整できる。
洗浄工程では、一般に、常温から１００℃の範囲の水もしくは温水を使用する。洗浄する水は、ソーピング剤を含有してもよい。未固着の色材が完全に除去されていることで、種々の耐水性、例えば、洗濯堅牢性、耐汗堅牢性等において良好な結果が得られる。
乾燥工程では、具体的には、洗浄した布帛を絞ったり脱水した後、干したりあるいは乾燥機、ヒートロール、アイロン等を使用して乾燥させる。
【０２１１】
〔〔スクリーン捺染、ローラー捺染、又は転写捺染用着色組成物、及びそれを用いた捺染方法〕〕
本発明の着色性組成物をスクリーン捺染、ローラー捺染、又は転写捺染で用いる場合には、着色性組成物は、版又は転写紙を介して布帛に印捺する色糊として用いる。
本発明の捺染方法は、少なくとも以下の（１）〜（４）の工程を含む。
（１）少なくとも高分子化合物及び水を含む液に対し、本発明の着色組成物を添加し、色糊を調整する工程
（２）上記（１）の色糊を布帛に印捺する工程
（３）蒸気を印捺した布帛にあてる工程
（４）印捺した布帛を水洗、乾燥する工程
色糊には、版に印捺するのに適した印捺適正と染着、水洗処理など捺染物に必要な捺染適正を満たすことが求められる。
そのため、印捺適正、捺染適正を付与する目的で、色糊は、染料以外に、糊剤、溶媒、染色助剤などを含有することができる。糊剤としては、着色組成物の媒体となるもので、水溶性高分子が用いられる。水溶性高分子としては、デンプン類、海藻類、天然ガム類、セルロース誘導体、アルギン酸ナトリウム、タンパク質物質、タンニン系物質、リグニン系物質等の公知の天然水溶性高分子が挙げられる。また、ポリビニルアルコール系化合物、ポリエチレンオキサイド系化合物、アクリル酸系水性高分子、スチレン系水性高分子、無水マレイン酸系水性高分子等の公知の合成高分子も糊剤として用いられる。たとえば、染色ノート３４９頁〜３６１頁記載の捺染用糊剤などが挙げれる。また、染色ノート３６７頁〜３６９頁記載の捺染糊改質剤を併用することもできる。２種以上の糊を混合して使用してもよい。溶媒としては、水溶性溶媒が好ましく用いられ、水を少なとも含む溶媒を使用することが最も好ましい。
染色助剤としては、酸やアルカリなどの発色剤、染料溶解剤、湿潤剤、吸湿剤、濃染剤、還元防止剤、金属イオン封止剤、紫外線吸収剤、分散剤、防染剤、抜染剤、防腐剤、防黴剤、酸化防止剤、マイグレーション防止剤、染料固着剤、消泡剤などが挙げられる。
染色助剤としては、公知のものを使用でき、たとえば、染色ノート３３６頁〜３３８頁に記載の溶解剤、可溶化剤、染色ノート３３９頁〜３４５頁に記載の濃染剤、均捺剤、浸透剤、染色ノート３４６頁〜３４８頁記載の消泡剤、染色ノート１４７頁〜１５４頁記載の金属イオン封止剤、染色ノート２１６頁〜２２２頁記載の分散剤、染色ノート３７０頁〜３７４頁記載の防染剤、染色ノート３７５頁〜３８１頁記載の抜染剤、染色ノート３６２頁〜３６３頁記載の防腐剤、防黴剤、染色ノート２７９頁〜２８４頁記載のマイグレーション防止剤、染色ノート４２６頁〜４２９頁記載の染料固着剤、特開平６−１６６９６９公報記載の湿潤堅牢度向上剤、ＵＳ５３３６４４３記載の光堅牢度向上剤などが挙げられる。
糊を溶媒に溶解又は分散した糊溶液に染色助剤を添加し、これに染料を溶媒に溶解又は分散した染料液を添加攪拌して色糊を調製する（色糊を調製する工程）。
【０２１２】
捺染方法では、浸染方法と異なり、布帛に上記色糊を印捺した（色糊を布帛に印捺する工程）後、布帛に印捺された色材を繊維に染着させる処理を行う。これを発色工程といい、加熱空気を用いる方法、常圧飽和蒸気、過熱蒸気を用いる方法があり、常圧飽和蒸気を用いる方法が好ましい。本発明では、蒸気を印捺した布帛にあてる工程を行う。蒸気を印捺した布帛にあてる工程において、蒸気で処理する温度、時間は、着色組成物の種類や布帛の種類によって異なるが、温度は１００℃〜１０８℃、時間は１〜６０分が好ましく、１〜３０分がより好ましい。蒸気を印捺した布帛にあてる工程の後は、浸染と同様の、洗浄工程、乾燥工程を経て、捺染物を得る。  
【０２１３】
〔〔インクジェット捺染用着色組成物、及びそれを用いた方法〕〕
本発明の着色用組成物をインクジェット捺染で用いる場合には、着色用組成物は、インクジェット捺染用インクとして用いる。インクジェット捺染方法は従来の捺染方法と比較すると、手早く階調性に優れた画像を形成できる利点を有しており、納期短縮、少量多品種生産対応、製版工程が必要ない等のメリットを備えている。更に、形成画像として必要な量のインクのみを使用するため、従来方法に比較すると廃液が少ない等の環境的利点も有する優れた画像形成方法であるといえる。
インクジェット捺染用インクは、ノズル先端からの水や水性有機溶剤等の蒸発により高粘度化したり、あるいは固形分である染料が析出したりすると、インクジェットヘッドのノズルを目詰まりさせてしまうため、従来の捺染よりも高発色なインクが求められる。また、インク保存安定性、吐出安定性などのインク適正や、滲み防止、汚染防止などの捺染適正、耐光性、耐水性、耐洗濯性などの画像堅牢性も付与することが求められている。
本発明のインクジェット捺染方法は、少なくとも以下の（１１）〜（１４）の工程を含む。
（１１）少なくとも高分子化合物及び水を含む糊を布帛に付与する工程
（１２）本発明の着色組成物をインクジェット法により布帛に印捺する工程
（１３）蒸気を印捺した布帛にあてる工程
（１４）印捺した布帛を水洗、乾燥する工程
インクジェット捺染方法は、従来の捺染方法で使用している色糊を使用するとノズルを目詰まりさせてしまうため、予め布帛に糊を付与しておく前処理工程（少なくとも高分子化合物及び水を含む糊を布帛に付与する工程）が必要になる。前処理工程を施すことで、布帛の取り扱いも容易になる。具体的には、糊剤、溶媒及びヒドロトロピー剤を含有する糊溶液を布帛に付着し、乾燥することで前処理した布帛が得られる。
糊剤としては、スクリーン捺染等で使用する糊剤と同様のものを使用することができる。溶媒としては、水溶性溶媒が好ましく用いられ、水を少なくとも含む溶媒を使用することが最も好ましい。
ヒドロトロピー剤は、一般に、インク組成物が付与された布帛が蒸気下で加熱される際に、画像の発色濃度を高める役割を果たす。例えば、通常、尿素、アルキル尿素、エチレン尿素、プロピレン尿素、チオ尿素、グアニジン酸塩、ハロゲン価テトラアルキルアンモニウム等が使用される。また、公知のものも使用でき、染色ノート４２６頁〜４２９頁記載の染料固着剤などが挙げられる。糊溶液の全固形分に対するヒドロトロピー剤の含有量は０．０１質量％〜２０質量％であることが好ましい。
糊溶液は、必要に応じて、ｐＨ調整剤、水性（水溶性）金属塩、撥水剤、界面活性剤、マイグレーション防止剤、ミクロポーラス形成剤等を更に含有していてもよい。これらの添加剤としては、公知のものを使用でき、例えば、染色ノート３３６頁〜３３８頁に記載の溶解剤、可溶化剤、染色ノート３３９頁〜３４５頁に記載の濃染剤、均捺剤、浸透剤、染色ノート１４７頁〜１５４頁記載の金属イオン封止剤、染色ノート３７０頁〜３７４頁記載の防染剤、染色ノート３７５頁〜３８１頁記載の抜染剤、染色ノート３６２頁〜３６３頁記載の防腐剤、防黴剤、染色ノート２７９頁〜２８４頁記載のマイグレーション防止剤、特開平７−３１６９９１公報記載のミクロポーラス形成剤、特開平６−１６６９６９公報記載の湿潤堅牢度向上剤、ＵＳ５３３６４４３記載の光堅牢度向上剤等が挙げられる。また、特開２０１３−２０９７８６号公報の段落［００９６］〜［０１０１］記載のものも使用することができる。
前処理においては、絞り率５％〜１５０％、好ましくは１０％〜１３０％の範囲で糊溶液をパッティングすることが好ましい。
前処理において、上記各糊溶液を布帛に含有させる方法は、特に制限されないが、通常行われる浸漬法、パッド法、コーティング法、スクリーン法、スプレー法、転写法、インクジェット法等を挙げることができる。
【０２１４】
次に、前処理した布帛に、インクジェット捺染用インクを用いて、印捺する。
インクジェット捺染用インクは、溶媒中に一般式（Ｄ）で表される化合物（混合物）を溶解及び／又は分散させることによって作製することができる。
溶媒としては、用いられる一般式（Ｄ）における置換基の種類、着色組成物を製造するために用いる溶媒成分の種類、及び染色する布帛の種類等により決められるが、好ましくは、水、又は水溶性有機溶媒が用いられる。
本発明のインク組成物が含有し得る水溶性有機溶媒は、例えば、ジエチレングリコール、グリセリン等の多価アルコール類のほか、アミン類、一価アルコール類、多価アルコールのアルキルエーテル類等が挙げられる。また、特開２００２−３７１０７９号公報の段落［００７６］に記載の水混和性有機溶剤の例示として挙げられる各化合物が好適である。
【０２１５】
本発明のインク組成物中の有機溶媒の含有量は、インクジェット捺染用インク組成物の全質量に対して、１０質量％以上６０質量％以下であることが好ましい。
界面活性剤としては、陽イオン性、陰イオン性、両性、非イオン性のいずれの界面活性剤も用いることができる。陽イオン性界面活性剤としては、例えば、脂肪族アミン塩、脂肪族４級アンモニウム塩、等が挙げられる。陰イオン性界面活性剤としては、例えば、脂肪酸石鹸、Ｎ−アシル−Ｎ−メチルグリシン塩、等が挙げられる。両性界面活性剤としては、例えば、カルボキシベタイン型、スルホベタイン型、アミノカルボン酸塩、イミダゾリニウムベタイン等が挙げられる。非イオン性界面活性剤としては、例えば、ポリオキシエチレンアルキルエーテル、アセチレングリコール、アセチレンアルコール等が挙げられる。特開２００２−３７１０７９号公報の段落［００７３］に記載の表面張力調整剤の例示として挙げられる界面活性剤、特開２００８−２６６４６６、特開平１１−２６９３９２９公報記載の界面活性剤が好適に用いられる。
また、本発明のインクジェット捺染用インクは、必要に応じてその他の添加剤を、本発明の効を害しない範囲内において含有することができる。その他の添加剤としては、例えば、乾燥防止（湿潤剤）、褪色防止剤、乳化安定剤、浸透促進剤、紫外線吸収剤、赤外線吸収剤、防腐剤、防剤、ｐＨ調整剤、表面張力調整剤、消泡剤、粘度調整剤、分散剤、分散安定剤、防錆剤、キレー剤、還元防止剤、酸化防止剤、帯電防止剤、蛍光増白剤等の公知の添加剤が挙げられる。これら各種添加剤は、水溶性インクの場合にはインク液に直接添加する。油溶性染料を分散物の形で用る場合には、染料分散物の調製後分散物に添加するのが一般的であるが、調製時に油相又は水相添加してもよい。油溶性染料を分散物の形にするときには分散剤を使用することができ、分散剤しては、例えば、染色ノート２１６頁〜２２２頁記載の分散剤が用いられる。
乾燥防止剤、褪色防止剤、紫外線吸収剤、防黴剤、ｐＨ調整剤、表面張力調整剤、消泡剤、キート剤は特開２０１４−５４６２公報〔０２２４〕〜〔０２３１〕記載のものを適用できる。また特開平６−１６６９６９公報記載の湿潤堅牢度向上剤、ＵＳ５３３６４４３記載の光堅牢度向上も含有することができる。
浸透促進剤は、インクジェット捺染用インクを繊維の内部により良く浸透、固着させる目的で好適に使用される。浸透促進剤としては、公知のものを使用でき、たとえば、染色ノート２２３頁〜２５５頁に記載の湿潤剤、浸透剤、均捺剤、緩捺剤、エタノール、イソプロパノール、ブタノール，ジ（トリ）エチレングリコールモノブチルエーテル、１，２−ヘキサンジオール等のアルコール類やラウリル硫酸ナトリウム、オレイン酸ナトリウム、ノニオン性界面活性剤や、ＷＯ１０／１０９８６７、特開平６−５７６４４記載の分岐多価アルコール等を用いることができる。これらはインク中に５〜３５質量％含有すれば通常効果があり、染色後の滲み、インクの裏漏れを起こさない添加量の範囲で使用するのが好ましい。
【０２１６】
本発明の化合物を水性媒体に分散させる場合は、特開２０１４−５４６２公報〔０２３２〕〜〔０２３３〕記載の方法で分散できる。
本発明において、着色組成物中に含まれる一般式（Ｄ）で表される化合物の含有量は、用いられる一般式（Ｄ）における置換基の種類、及び着色組成物を製造するために用いる溶媒成分の種類等により決められるが、着色組成物中の一般式（Ｄ）で表される化合物の含有量が、着色組成物の総質量に対して１〜２０質量％含まれることが好ましく、１〜１０質量％含まれることがより好ましい。
本発明のインクジェット記録用インクは、粘度が３０ｍＰａ・ｓ以下であるのが好ましい。また、その表面張力は２５ｍＮ／ｍ以上７０ｍＮ／ｍ以下であるのが好ましい。粘度及び表面張力は、種々の添加剤、例えば、粘度調整剤、表面張力調整剤、比抵抗調整剤、皮膜調整剤、紫外線吸収剤、酸化防止剤、褪色防止剤、防黴剤、防錆剤、分散剤及び界面活性剤を添加することによって、調整できる。
本発明のインクジェット捺染用インクは、単色の画像形成のみならず、フルカラーの画像形成に用いることができる。フルカラー画像を形成するために、マゼンタ色相インク、シアン色相インク、及びイエロー色相インクを用いることができ、また、色相を整えるために、更にブラック色相インクを用いてもよい。適用できる染料としては、特開２０１４−５４６２公報〔０２３７〕〜〔０２４０〕記載のものが挙げられる。
【０２１７】
インクジェット方法により印捺した布帛は、乾燥後、他の捺染方法と同様に、発色工程、洗浄工程、乾燥工程を経て、捺染物を得る。発色工程〜乾燥工程の好ましい方法は、スクリーン捺染等と同様である。
【０２１８】
本発明で用いる布帛は、必要に応じて、予め処理されたものを使用してもよい。処理は、インクジェット捺染方法においては、糊剤を布帛に付着する前に行ってもよいし、後に行ってもよい。また、染色前に付着する糊溶液に前処理剤を添加して使用してもよい。具体的には、特開２００２−３３９２６８、特開２０００−５４２７７、特開平７−１５０４８２、特開２００８−１７４８６５、特開２０１２−１５４００６、特開２０１２−１２７３０、特開平２−６８３７２、特公昭６３−３１５９４、特開２００２−２７５７６９、特開２００１−８１６８０、特開２００４−６８２０８、特開平１１−４３８７３、特開２００７−２１７８２９、特開２００６−８３４９５、特開２００５−１５４９３６、特開２００２−１０５８７５、特開２００２−３４８７８６、特開平１１−８１１６３、特開平２−６１１８３、特開２００１−２９５１８６、特開２００４−６００７３、特開２００３−１１３５８３、特開平８−１００３７９、特開平２−５３９７６、特開２０００−２２６７８１、特開２００４−２９２９８９、特開２００２−２４９９９１、特開２００２−３６３８７２、特開平６−３４１０７０、特開２００４−１９７２３７、特開２００８−２２３１９２、特開２０１１−１７９１３０号公報記載の前処理方法などが挙げられる。
【０２１９】
本発明で用いる布帛は、必要に応じて、特開昭６２−２５７４６４公報などに記載の難燃処理、特開平２−４７３７８公報などに記載のプラズマ処理、特開昭６０−９４６７８、特開２００２−２６６２３６、特開２００７−３２１２４７、特開平３−２８７８７３、特開２００４−１３１９１９公報などに記載の耐光性や耐湿潤性、耐塩素性などの堅牢性改良処理を行ってもよい。これらの処理は、染色する前に行ってもよいし、染色後に行ってもよい。
本発明のインクをインクジェット捺染する方法としては、インクジェット装置を用いて布帛にインクを吐出する工程が含まれていれば限定しない。例えば、特開平９−２９６３７９、特開平１１−４３８７３、特開平７−７０９５３、特開平７−１９７３８４、特開平７−７０９５０、特開平３−１０４９７７、特開２００７−３０３０４６、特開２００７−３１３７１７、特開２００８−２４８４３７などに、インクジェット捺染する方法が知られている。
また、インクジェット捺染する際に用いられる装置としては、任意のインクジェット装置を使用できる。例えば、特開平３−４５７７４、特開２００１−２７７６５６、特開２０００−２９０８８２、特開２００１−１８３９０、特開２０１０−８３０４０、特開２０１１−３１４１８などが知られている。
【０２２０】
〔着色化合物の形態と染色する布帛〕
一般式（Ｄ）で表される化合物は、染料として布帛を染色又は捺染する目的で使用する。
一般式（Ｄ）で表される化合物の置換基の種類を変更することによって、様々な種類の染料を用意することができる。
一般式（Ｄ）で表される化合物が、スルホ基又はカルボキシル基といった酸性基を少なくとも１つ含有する場合は、酸性染料として、絹や羊毛などの蛋白繊維、６ナイロン、６６ナイロンなどのポリアミド繊維を染めることができる。
一般式（Ｄ）で表される化合物が、水に不溶な油溶性化合物である場合には、分散染料として、ポリエステルなどの疎水性繊維を染めるのが一般的だが、アクリル繊維やポリアミド繊維も染めることができる。
一般式（Ｄ）で表される化合物が、アミノ基などの塩基性基を少なくとも１つ含有する場合には、カチオン染料として、アクリル繊維を染めることができる。
一般式（Ｄ）で表される化合物が、繊維と反応する基を少なくとも１つ含有する場合には、反応染料として、綿などのセルロース繊維やポリアミド繊維を染めることができる。繊維と反応する基としては、具体的には、クロロトリアジニル基、クロロピリミジル基、ビニルスルホニル基、クロロエチルスルホニル基、スルファトエチルスルホニル基、チオスルファトエチルスルホニル基が挙げられる。
本発明は、上記（１）〜（４）、又は（１１）〜（１４）の工程を含む捺染方法によって捺染された布帛にも関する。
布帛としては、１種類の繊維からなる布帛を使用してもよいし、２種類以上の繊維からなる複合繊維を使用してもよい。
一般式（Ｄ）で表される化合物は、酸性染料であることが好ましく、特に、ポリアミド繊維を染色したときに、顕著に、高い染着性を有し、かつ、耐光性、湿潤堅牢性などの染色布帛としての諸性能が改善できる。
被染布としての好ましいポリアミド繊維としては、ポリアミド繊維を含有していればよく、ポリアミド単独からなる布帛でもよいし、複合繊維からなる布帛でもよい。複合繊維としては、特開２００８−２０２２１０、特開２００６−３２２１３１、特開２００７−１００２７０公報など記載の繊維が挙げられる。ポリアミド繊維の中でも、６ナイロン、６６ナイロンを含む繊維であることが好ましい。
使用される繊維としては、布帛が好ましいが、糸を染めても同様の効果が得られる。
【実施例】
【０２２１】
以下、実施例を示して本発明を詳しく説明するが、本発明はこれらの実施例に何ら限定されるものではない。例中の「％」及び「部」は、特記ない限り、質量％及び質量部である。【０２２２】
（合成例１）  例示化合物（３−１−１）の合成
（中間体（Ｂ）の合成）
化合物（Ａ）で表される３',６'-ジクロロスピロ[３Ｈ−２，１−ベンゾオキサチオール−３，９'−[９Ｈ]キサンテン]１,１−ジオキシド（中外化成製、ＤＣＳＦ（商品名））２０ｇ、化合物（Ｂ）で表される２，４−ジアミノメシチレン−６−スルホン酸４６ｇ（東京化成製）、ジアザビシクロウンデセン（略称、ＤＢＵ）３０ｇ、塩化亜鉛６．７ｇをエチレングリコール２５０ｇに添加し、１５０℃で６時間反応させた。得られた反応液を室温に冷却し、アセトニトリル１Ｌに注ぎ入れ、得られた結晶をカラムクロマトグラフィ（充填剤：セファデックスＬＨ−２０（ファルマシア製）、展開溶媒：水／メタノール）で精製し、中間体（Ｂ）を得た。収量７．７ｇ、収率１９％、ＭＳ（ｍ／ｚ）＝８３６（［Ｍ−１］−、１００％）。【０２２３】
得られた中間体（Ｂ）４ｇを、Ｎ，Ｎ−ジメチルアセトアミド（ＤＭＡｃ）５６ｍＬに溶解させ、内温を０℃まで冷却した。ここにクロロぎ酸フェニル（東京化成製）４．８ｍＬを内温を５℃以下に保ちながら滴下した後に、室温で９０分反応させた。再度内温を０℃まで冷却し、４−アミノ−２，２，６，６−テトラメチルピペリジン（東京化成製）８．２ｍＬを内温１０℃以下で滴下した後に、室温で３０分撹拌した。得られた反応液を大過剰の酢酸エチルに注ぎ入れ、析出した固体をろ別した。得られた固体を水に溶解させ、希水酸化ナトリウム水溶液でｐＨを７に調整し、得られた水溶液をカラムクロマトグラフィ（充填剤：セファデックスＬＨ−２０（ファルマシア製）、展開溶媒：水／メタノール）で精製した。ロータリーエバポレーターで濃縮したのちに、再度水に溶解させ、強酸性イオン交換樹脂（アンバーライトＩＲ１２０−Ｈ（商品名）、オレガノ社製）を通液させた後に、希水酸化ナトリウム水溶液を用いてｐＨを７に調整し、メンブレンフィルターを用いて除塵ろ過を行ったのちに、ロータリーエバポレーターを用いて濃縮乾固して、例示化合物（３−１−１）を得た。収量４．９ｇ、収率６５％。ＭＳ（ｍ／ｚ）＝１２００（［Ｍ−１］−、１００％）。例示化合物（３−１−１）の希薄水溶液中での吸収スペクトルの吸収極大波長は５３０ｎｍであった。【０２２４】
【化４１】
2016052686.tif 000042
【０２２５】
（合成例２）（例示化合物（３−１−５）の合成）
例示化合物（３−１−１）の中間体として得られた中間体（Ｂ）４ｇを、Ｎ，Ｎ−ジメチルアセトアミド（ＤＭＡｃ）３６ｍＬに溶解させ、内温を０℃まで冷却した。ここにクロロアセチルクロライド（東京化成製）３．０ｍＬを内温を５℃以下に保ちながら滴下した後に、室温で９０分反応させた。再度内温を０℃まで冷却し、４−アミノ−２，６−ジｔｅｒｔ−ブチルフェノール１０．１ｇをＮ，Ｎ−ジメチルアセトアミド（ＤＭＡｃ）３０ｍＬに溶解させ、内温１０℃以下で滴下した後に、９０℃で２時間撹拌した。得られた反応液を大過剰の酢酸エチルに注ぎ入れ、析出した固体をろ別した。得られた固体を水に溶解させ、希水酸化ナトリウム水溶液でｐＨを７に調整し、得られた水溶液をカラムクロマトグラフィ（充填剤：セファデックスＬＨ−２０（ファルマシア製）、展開溶媒：水／メタノール）で精製した。ロータリーエバポレーターで濃縮したのちに、再度水に溶解させ、強酸性イオン交換樹脂（アンバーライトＩＲ１２０−Ｈ（商品名）、オレガノ社製）を通液させた後に、希水酸化ナトリウム水溶液を用いてｐＨを７に調整し、メンブレンフィルターを用いて除塵ろ過を行ったのちに、ロータリーエバポレーターを用いて濃縮乾固して、例示化合物（３−１−５）を得た。収量５．２ｇ、収率６０％。ＭＳ（ｍ／ｚ）＝１３３７（［Ｍ−Ｎａ］−、１００％）。例示化合物（３−１−５）の希薄水溶液中での吸収スペクトルの吸収極大波長は５３２ｎｍであった。【０２２６】
【化４２】
2016052686.tif 000043
【０２２７】
（合成例３）（例示化合物（７−１−１）の合成）
例示化合物（７−１−１）は下記スキームに従い、合成することができる。【０２２８】
【化４３】
2016052686.tif 000044
【０２２９】
（中間体（Ｘ）の合成）
３',６'-ジクロロスピロ[３Ｈ−２，１−ベンゾオキサチオール−３，９'−[９Ｈ]キサンテン]１,１−ジオキシド（中外化成製、ＤＣＳＦ（商品名））３０ｇ、２，４，６−トリメチル−１，３−フェニレンジアミン（ＤＡＭ）（東京化成製）６３ｇ、塩化亜鉛１１ｇをエチレングリコール２６５ｇに添加して、１５０℃で６時間反応させた。反応液を室温まで冷却し、０．６Ｍ塩酸３００ｍＬを滴下して結晶を析出させ、析出した結晶をろ別し、水３００ｍＬで洗浄した。得られた結晶を６０℃で１２時間乾燥し、中間体（Ｘ）の結晶を得た。収量２３ｇ、収率５０％、ＭＳ（ｍ／ｚ）＝６３３（［Ｍ＋１］＋、１００％）。【０２３０】
（中間体（Ｙ）の合成）
中間体（Ｘ）２３ｇを、１０％発煙硫酸４２０ｇに添加して、室温にて７２時間反応させた。反応液を５Ｌの１０％食塩水に注ぎ入れ、析出した結晶をろ別した。ろ別した結晶を５００ｍＬのメタノールに溶解させ、２８％ナトリウムメトキシドメタノール溶液を用いてｐＨ７に調整し、析出した硫酸ナトリウムをろ過により取り除いた。ろ液をロータリーエバポレーターを用いて濃縮し、得られた残渣をカラムクロマトグラフィ（充填剤：セファデックスＬＨ−２０（ファルマシア製）、展開溶媒：メタノール）で精製し、中間体（Ｙ）の結晶を得た。収量２１ｇ、収率６８％、ＭＳ（ｍ／ｚ）＝７９３（［Ｍ−２Ｎａ＋Ｈ］−、１００％）。【０２３１】
（例示化合物（７−１−１）の合成）
中間体（Ｙ）４ｇを、Ｎ，Ｎ−ジメチルアセトアミド５６ｍＬに溶解させ、内温を０℃まで冷却した。ここにクロロぎ酸フェニル（東京化成製）４．８ｍＬを、内温を５℃以下に保ちながら滴下した後に、室温で９０分反応させた。再度内温を０℃まで冷却し、４−アミノ−２，６−ジｔｅｒｔ−ブチルフェノール１０．１ｇをＮ，Ｎ−ジメチルアセトアミド（ＤＭＡｃ）３０ｍＬに溶解させ、内温１０℃以下で滴下した後に、９０℃で２時間撹拌した。得られた反応液を大過剰の酢酸エチルに注ぎ入れ、析出した固体をろ別した。得られた固体を水に溶解させ、希水酸化ナトリウム水溶液でｐＨを７に調整し、得られた水溶液をカラムクロマトグラフィ（充填剤：セファデックスＬＨ−２０（ファルマシア製）、展開溶媒：水／メタノール）で精製した。ロータリーエバポレーターで濃縮したのちに、再度水に溶解させ、強酸性イオン交換樹脂（アンバーライトＩＲ１２０−Ｈ（商品名）、オレガノ社製）を通液させた後に、希水酸化ナトリウム水溶液を用いてｐＨを７に調整し、メンブレンフィルターを用いて除塵ろ過を行ったのちに、ロータリーエバポレーターを用いて濃縮乾固して、例示化合物（７−１−１）を得た。収量２．６ｇ、収率３０％。ＭＳ（ｍ／ｚ）＝１１５５（［Ｍ−Ｎａ］−、１００％）。例示化合物（７−１−１）の希薄水溶液中での吸収スペクトルの吸収極大波長は５３０ｎｍであった。【０２３２】
（合成例４）（例示化合物（７−１−５）の合成）
例示化合物（７−１−１）の合成中間体（Ｙ）４．０ｇを、Ｎ，Ｎ−ジメチルアセトアミド５６ｍＬに溶解させ、内温を０℃まで冷却した。ここに３，５−ジ（ｔｅｒｔ−ブチル）−４−ヒドロキシベンゾイル＝クロリド（文献公知の方法で合成。例えば、米国特許５６１６７９７）６．０ｇを内温５℃以下に保ちながらゆっくりと加えた。滴下終了後、室温で１時間撹拌した後に、反応液を飽和食塩水に注ぎ入れ、結晶を析出させ、結晶をろ別した。得られた結晶をカラムクロマトグラフィ（充填剤：セファデックスＬＨ−２０（ファルマシア製）、展開溶媒：水／メタノール）で精製した。ロータリーエバポレーターで濃縮したのちに、再度水に溶解させ、強酸性イオン交換樹脂（アンバーライトＩＲ１２０−Ｈ（商品名）、オレガノ社製）を通液させた後に、希水酸化ナトリウム水溶液を用いてｐＨを７に調整し、メンブレンフィルターを用いて除塵ろ過を行ったのちに、ロータリーエバポレーターを用いて濃縮乾固して、例示化合部（７−１−５）を得た。収量４．８ｇ、収率３１％。ＭＳ（ｍ／ｚ）＝１２５５（［Ｍ−２Ｎａ＋Ｈ］−，１００％）．例示化合物（７−１−５）の希薄水溶液中の吸収スペクトルの吸収極大波長は５３１ｎｍであった。【０２３３】
その他の例示化合物に関しても、上記方法に準じて合成することができる。【０２３４】
〔実施例１〕
下記の成分に脱イオン水を加え１００ｇとした後、３０〜４０℃で加熱しながら１時間撹拌した。その後１０ｍｏｌ／Ｌの水酸化ナトリウム水溶液にてｐＨ＝９に調製し、平均孔径０．２５μｍのミクロフィルターで減圧濾過しマゼンタ用インクジェット記録用インク１を調製した。【０２３５】
インクジェット記録用インク１の組成：
染料（例示化合物（３−１−１））              ３．５０ｇ
ジエチレングリコール                        １０．６５ｇ
グリセリン                                  １４．７０ｇ
ジエチレングリコールモノブチルエーテル      １２．７０ｇ
トリエタノールアミン                          ０．６５ｇ
オルフィンＥ１０１０（日信化学工業（株）製）    ０．９ｇ【０２３６】
〔実施例２〜２９、比較例１〜３〕
染料を、下記表１〜３に示すように変更した以外は、インクジェット記録用インク１の調製と同様にして、インクジェット記録用インク２〜２９、比較用のインクジェット記録用インクとして以下に示す比較化合物１〜比較化合物３を用いたインクジェット記録用インクをそれぞれ調製した。【０２３７】
（画像記録及び評価）
各実施例及び比較例のインクジェット記録用インクについて、下記評価を行った。その結果を表１〜３に示した。
なお、耐オゾン性、耐光性、耐湿性は、各インクジェット記録用インクをインクカートリッジに装填し、インクジェットプリンター（キヤノン製ピクサスｉＰ８６００、商品名）でフォト光沢紙（キヤノン製写真用紙プロフェッショナルＰＴ−２０１、商品名）に画像を記録した後で評価したものである。画像は、反射濃度計（Ｘ−Ｒｉｔｅ３１０ＴＲ、エックスライト社製）で測定したＯＤ値が０．７〜１．８になるように階段状に濃度が変化した単色画像パターンと、チェック柄のパターン（濃度１００％と０％の１．５ｍｍ角を有する正方形を交互に組み合わせたパターン）を印字した。【０２３８】
＜色相＞
色相については、目視にて最良、良好及び不良の３段階で評価した。Ａは色相が最良、Ｂは良好であったことを示し、Ｃは色相が不良であったことを示す。【０２３９】
＜耐オゾン性＞
シーメンス型オゾナイザーの二重ガラス管内に乾燥空気を通しながら、５ｋＶ交流電圧を印加し、これを用いてオゾンガス濃度が０．５±０．１ｐｐｍ、室温、暗所に設定されたボックス内に、上記画像を形成したフォト光沢紙を７日間放置し、オゾンガス下放置前後の画像濃度を反射濃度計（Ｘ−Ｒｉｔｅ３１０ＴＲ、エックスライト社製）を用いて測定し、色素残存率として評価した。初期の画像濃度Ｃｉとオゾンガス下放置後の画像濃度Ｃｆ２から色素残存率（Ｃｆ２／Ｃｉ×１００％）として評価した。なお、画像濃度は、１、１．５及び２．０の３点で測定した。ボックス内のオゾンガス濃度は、ＡＰＰＬＩＣＳ製オゾンガスモニター（モデル：ＯＺＧ−ＥＭ−０１）を用いて設定した。
何れの濃度でも色素残存率が７０％以上の場合をＡ、１又は２点が７０％未満をＢ、全ての濃度で７０％未満の場合をＣとして、三段階で評価した。【０２４０】
＜印画濃度＞
印画したサンプルの１００％濃度部分のＸ−Ｒｉｔｅ３１０ＴＲ（エックスライト社製）を用いて濃度測定し、２.３以上をＡ、２．２以上２．３未満をＢ、２．２未満をＣの３段階で評価した。【０２４１】
＜耐湿性＞
印画したサンプルを３５℃、相対湿度８０％の湿度条件下で１週間保存し、画像のにじみに関して、にじみがない、もしくは殆どわからないレベルである場合をＡ、僅かににじんでいる場合をＢ、明らかににじんでいる場合をＣの３段階で評価した。【０２４２】
＜耐光性＞
記録した直後の画像濃度Ｃｉを測定した後、ウェザーメーター（アトラスＣ．１６５）を用いて、画像にキセノン光（１０万ルクス）を４日間照射した後、再び画像濃度Ｃｆを測定し、キセノン光照射前後の画像濃度を、反射濃度計（Ｘ−Ｒｉｔｅ３１０ＴＲ）を用いて測定し、色素残存率（Ｃｆ／Ｃｉ×１００％）として評価した。色素残存率は、初期の画像濃度が１．０と０．９の画像部分を用いて測定した。
何れの画像濃度でも色素残存率が７０％以上の場合をＡ、１点が７０％未満をＢ、全ての画像濃度で７０％未満の場合をＣとして、三段階で評価した。【０２４３】
【表１】
2016052686.tif 000045
【０２４４】
【表２】
2016052686.tif 000046
【０２４５】
【表３】
2016052686.tif 000047
【０２４６】
【化４４】
2016052686.tif 000048
【０２４７】
比較化合物３：特開２００６-１９９８５９の具体例
【化４５】
2016052686.tif 000049
【０２４８】
表１〜３の結果から明らかなように、本発明の化合物を用いた実施例のインクは、色相、印画濃度、耐光性、耐オゾン性、耐湿性のすべてにおいて優れたものとなった。【０２４９】
〔実施例３０〕捺染評価
布帛であるナイロン６ジャージについて、下記組成の捺染糊をスクリーン捺染機でベタ画像を印捺した。
（捺染糊の組成）
・糊剤：ＭＥＹＰＲＯ  ＧＵＭ  ＮＰ〔ＭＡＹＨＡＬＬ  ＣＨＥＭＩＣＡＬ  ＡＧ社製〕
５０ｇ
・ｐＨ調整剤：硫酸アンモニウム〔和光純薬社製〕                  ５ｇ
・着色剤：化合物３−１−５                                      ２ｇ
・水                                                          ４３ｇ
印捺した布帛を乾燥した後、１０５℃の飽和蒸気でスチーム処理を行った。その後、布帛を水洗し、未固着の染料を洗い流した。染色した布を酢酸０．１ｇ、硫酸アンモニウム０．６ｇ、サンライフＴＮ（日華化学製固着剤）６ｇを含む２００ｍＬの浴で６０℃５分固着処理を行い、乾燥して染色物を得た。得られた染色物は色落ちすることなく、高濃度のマゼンタ色に染まった染色物が得られた。
化合物５−１−４、及び化合物６−１−２においても、同様に捺染評価を施したところ、水洗後も色落ちすることなく、マゼンタ色に染まった染色物が得られた。【０２５０】
〔実施例３１〕インクジェット捺染評価
インクジェット捺染においては、特開２０１３−２０９７８６記載の方法に準じて行った。
＜前処理工程＞
布帛であるナイロン６ジャージについて、以下に示す成分を混合して前処理剤Ａを調製した。得られた前処理剤Ａを用い、布帛を絞り率９０％としてパッティングして、自然乾燥させ、処理済み布帛を得た。【０２５１】
（前処理剤Ａ）
・糊剤：グアーガム〔日晶株式会社製、ＭＥＹＰＲＯ  ＧＵＭ  ＮＰ〕
２ｇ  
・ヒドロトロピー剤：尿素〔和光純薬社製〕                      ５ｇ
・ｐＨ調整剤：硫酸アンモニウム〔和光純薬社製〕                ４ｇ
・水                                                        ８９ｇ【０２５２】
＜印捺工程＞
次いで、下記組成からなるインク組成物を、３０〜４０℃で加熱しながら１時間撹拌した。得られた液を平均孔径０．５μｍのミクロフィルターで減圧濾過しインクジェット捺染用インク液を調製した。
・化合物３−１−５                                        ５質量％
・グリセリン〔和光純薬社製〕（水性有機溶媒）            １０質量％
・ジエチレングリコール〔和光純薬社製〕（水性有機溶媒）  １０質量％
・オルフィンＥ１０１０〔日信化学社製〕（アセチレングリコール系界面活性剤）                                                    １質量％
・水                                                    ７４質量％【０２５３】
インクジェットプリンター（ディマティックス社製、ＤＭＰ−２３８１）に、得られた各インクジェット捺染用インク液をセットした上、得られた前処理済み布帛にベタ画像を印捺した。【０２５４】
＜後処理工程＞
印捺した布帛を乾燥した後、スチーム工程にて飽和蒸気中、１００℃で、３０分間スチームをかけ、染料を布帛の繊維に固着させた。その後、布帛を冷水で１０分、６０℃の温水で５分洗った後、自然乾燥した。得られた染色物は色落ちすることなく、高濃度のマゼンタ色に染まった染色物が得られた。
化合物５−１−４、及び化合物６−１−２においても、同様に捺染評価を施したところ、水洗後も色落ちすることなく、マゼンタ色に染まった染色物が得られた。【０２５５】
〔実施例３１〕カラートナーの作製と評価
＜カラートナーの作製＞
本発明のキサンテン染料である例示化合物（３−１−２６）３質量部、トナー用樹脂〔スチレン−アクリル酸エステル共重合体；ハイマーＴＢ−１０００Ｆ（商品名、三洋化成 (株)製）〕１００質量部をボールミルで混合粉砕後、１５０℃に加熱して熔融混和を行い、冷却後ハンマーミルを用いて粗粉砕し、次いでエアージェット方式による微粉砕機で微粉砕した。さらに分級して粒径１〜２０μｍの粒子を選択し、トナーとした。【０２５６】
＜評価＞
このトナー１０質量部に対しキャリヤ鉄粉（ＥＦＶ２５０／４００、商品名、日本鉄粉 (株)製）９００質量部を均一に混合し現像剤とした。この現像剤を用いて乾式普通紙電子写真複写機〔ＮＰ−５０００、商品名、キャノン(株)製〕で複写を行ったところ、優れた分光特性を有し、トナーとして優れた性質を示すことがわかった。【０２５７】
〔実施例３２〕：カラーフィルタの作製と評価
＜ポジ型レジスト組成物の調製＞
ｍ−クレゾール／ｐ−クレゾール／ホルムアルデヒド（反応モル比＝５／５／７．５）混合物から得たクレゾールノボラック樹脂（ポリスチレン換算質量平均分子量４３００）３．４質量部、下式のフェノール化合物を用いて製造したｏ−ナフトキノンジアジド−５−スルホン酸エステル（平均２個の水酸基がエステル化されている）１．８質量部、ヘキサメトキシメチロール化メラミン０．８質量部、乳酸エチル２０質量部、及び例示化合物（３−１−２６）を１質量部混合してポジ型レジスト組成物を得た。【０２５８】
【化４６】
2016052686.tif 000050
【０２５９】
＜カラーフィルタの作製と評価＞
得られたポジ型レジスト組成物をシリコンウエハにスピンコートした後、溶剤を蒸発させた。次いで、マスクを通してシリコンウエハを露光し、ｏ−ナフトキノンジアジド−５−スルホン酸エステルを分解させた。その後１００℃で加熱し、次いでアルカリ現像により露光部を除去して０．８μｍの解像度を有するポジ型着色パターンを得た。これを全面露光後、１５０℃、１５分加熱してマゼンタの補色系カラーフィルタを得た。露光は、ｉ線露光ステッパーＨＩＴＡＣＨＩＬＤ−５０１０−ｉ（商品名、日立製作所(株)製、ＮＡ＝０．４０）により行った。
また、現像液は、ＳＯＰＤ又はＳＯＰＤ−Ｂ（いずれも商品名、住友化学工業(株)製）を用いた。得られたカラーフィルタは色純度が良好でかつ透明度が高く、良好な性能を示した。【０２６０】
〔実施例３３〕昇華転写インクの作製と評価
＜昇華転写インクの作製＞
例示化合物（３−１−２６）４．０ｇと、アニオン系分散剤としてのβ−ナフタレンスルホン酸のホルマリン縮合物２．０ｇと、イオン交換水４０．０ｇとからなる混合物を、０．２ｍｍ径ガラスビーズを用い、サンドミルにて、冷却下、約１５時間分散化処理を行った。分散処理後、イオン交換水を加えて希釈し、次いで、上記分散液をガラス繊維濾紙ＧＣ−５０（東洋濾紙株式会社製、フィルターの孔径０．５μｍ）で濾過し、粒子サイズの大きい成分を除去した水性分散液を得た。
次に、上記のようにして得られた水性分散液４６．０ｇと、グリセリン２０．０ｇと、トリエチレングリコールモノメチルエーテル３．０ｇと、イオン交換水３１．０ｇとを混合することにより、昇華転写用インクを得た。【０２６１】
＜評価＞
上記昇華転写用インクをインクジェット装置に投入し、シリカを含む材料で構成されたインク受容層を備えた紙を中間転写媒体として用意し、上記中間転写媒体のインク受容層に、１４４０×７２０ｄｐｉ（ｄｏｔｐｅｒ ｉｎｃｈ）で１００％ｄｕｔｙ、５０％ｄｕｔｙ、５％ｄｕｔｙで昇華転写用インクを吐出した。また、「ｄｕｔｙ」とは、下記式（Ａ）で定義され、算出される値Ｄの単位を示すものである。
Ｄ＝｛（実印字ドット数）／（縦解像度×横解像度）｝×１００（ｄｕｔｙ）・・・（Ａ）
その後、昇華転写用インクが付与された中間転写媒体のインク受容層を、ポリエステル繊維で構成された布帛（被染色物）と密着させ、この状態で、太陽精機株式会社製ヒートプレス機ＴＰ−６０８Ｍを用いて２００℃×６０秒の条件で加熱し、昇華転写を行った。
得られた布帛は、水洗後も色落ちせず、マゼンタ色に染まった染色物が得られた。
【産業上の利用可能性】
【０２６２】
本発明の化合物は、着色組成物及びインクジェット記録用インクに好適に用いることができ、色相に優れ、高い印画濃度を有し、耐光性、耐オゾン性、及び耐湿性をより向上させることができる。【０２６３】
本発明を詳細にまた特定の実施態様を参照して説明したが、本発明の精神と範囲を逸脱することなく様々な変更や修正を加えることができることは当業者にとって明らかである。
本出願は、２０１４年９月３０日出願の日本特許出願（特願２０１４−２０２５３４）、及び２０１５年９月３０日出願の日本特許出願（特願２０１５−１９２３７４）に基づくものであり、その内容はここに参照として取り込まれる。
【国際調査報告】
2016052686.tif 000055
2016052686.tif 000056
2016052686.tif 000057
2016052686.tif 000058